(57)【特許請求の範囲】
【請求項１】
ユーザ機器によって、第１のロングタームエボリューションＬＴＥセルから、第２世代モバイル通信システム２Ｇネットワーク又は第３世代モバイル通信システム３Ｇネットワークにフォールバックして、回線交換ＣＳサービスを実行するステップであって、前記第１のＬＴＥセルのネットワークタイプが第１のタイプであり、前記第１のタイプがＬＴＥ周波数分割複信ＦＤＤ又はＬＴＥ時分割複信ＴＤＤである、ステップと、
前記ユーザ機器が前記ＣＳサービスの実行を前記２Ｇ又は３Ｇネットワーク上で完了したときに、前記ユーザ機器によって、ＬＴＥセルをＬＴＥネットワーク情報に従って測定して、各ＬＴＥセルの測定結果を得るステップであって、前記ＬＴＥネットワーク情報がＬＴＥ  ＦＤＤタイプのセルについての情報、及びＬＴＥ  ＴＤＤタイプのセルについての情報を含む、ステップと、
前記ユーザ機器によって、測定結果が事前設定条件を満たすＬＴＥセルから、ＬＴＥネットワークにアクセスするための第２のＬＴＥセルを選択するステップであって、前記第２のＬＴＥセルのネットワークタイプが前記第１のＬＴＥセルのネットワークタイプと同じネットワークタイプである、ステップと
を含み、
前記ＬＴＥネットワーク情報が、前記２Ｇ又は３Ｇネットワーク上のアクセスネットワークデバイスから供給されるＬＴＥネットワーク情報、又は前記ユーザ機器に保存されたＬＴＥネットワーク情報、又は前記ユーザ機器によってサポートされるすべてのＬＴＥ周波数である、ネットワーク選択方法。
【請求項２】
前記ユーザ機器によって、ＬＴＥセルをＬＴＥネットワーク情報に従って測定する前記ステップが、
前記ユーザ機器によって、前記第１のＬＴＥセルのネットワークタイプと同じネットワークタイプのＬＴＥセルだけを前記ＬＴＥネットワーク情報に従って測定するステップを含み、
前記ユーザ機器によって、測定結果が事前設定条件を満たすＬＴＥセルから、ＬＴＥネットワークにアクセスするための第２のＬＴＥセルを選択する前記ステップが、
前記ユーザ機器によって、第１のタイプの、かつ測定結果が事前設定条件を満たす、ＬＴＥセルから、前記ＬＴＥネットワークにアクセスするための前記第２のＬＴＥセルを選択するステップを含む、請求項１に記載の方法。
【請求項３】
前記ユーザ機器によって、前記第１のＬＴＥセルのネットワークタイプと同じネットワークタイプのＬＴＥセルだけを前記ＬＴＥネットワーク情報に従って測定する前記ステップが、
前記ユーザ機器によって、前記ＬＴＥネットワーク情報中の前記第１のＬＴＥセルのネットワークタイプと同じネットワークタイプの周波数帯域に属する周波数を決定し、前記第１のＬＴＥセルのネットワークタイプと同じネットワークタイプの周波数帯域に属する周波数だけを探索し、見つかったＬＴＥセルを継続して測定するステップ、及び／又は
前記ユーザ機器によって、保存されたＬＴＥネットワーク情報に従い、前記ＬＴＥネットワーク情報の中にある、かつ前記第１のＬＴＥセルのネットワークタイプと同じネットワークタイプの前記ＬＴＥセルに対応する周波数及び／又はセル識別情報を決定し、前記第１のＬＴＥセルのネットワークタイプと同じネットワークタイプの前記ＬＴＥセルに対応する周波数及び／又はセル識別情報だけを探索し、見つかったＬＴＥセルを継続して測定するステップであって、前記保存されたＬＴＥネットワーク情報が、ある周波数及び／又はセル識別情報に対応するＬＴＥセルのネットワークタイプを含む、ステップ、及び／又は
前記ユーザ機器によって、前記２Ｇ又は３Ｇネットワークから配信されたＬＴＥ  ＦＤＤ又はＬＴＥ  ＴＤＤインジケーション情報に従い、前記第１のＬＴＥセルのネットワークタイプと同じネットワークタイプの前記ＬＴＥセルに対応する周波数及び／又はセル識別情報を決定し、前記第１のＬＴＥセルのネットワークタイプと同じネットワークタイプの前記ＬＴＥセルに対応する周波数及び／又はセル識別情報だけを探索し、見つかったＬＴＥセルを継続して測定するステップ
を含む、請求項２に記載の方法。
【請求項４】
前記ユーザ機器によって、前記第１のＬＴＥセルのネットワークタイプと同じネットワークタイプのＬＴＥセルだけを前記ＬＴＥネットワーク情報に従って測定する前記ステップが、
前記ユーザ機器によって、ＬＴＥセルを前記ＬＴＥネットワーク情報に従って探索するステップと、
前記ユーザ機器によって、見つかった各ＬＴＥセルのネットワークタイプを前記ＬＴＥセルのフレーム内の一次同期信号及び／又は二次同期信号の位置に従って決定し、ネットワークタイプが前記第１のＬＴＥセルのネットワークタイプと同じネットワークタイプであるＬＴＥセルだけを継続して測定するステップ、及び／又は
前記ユーザ機器によって、見つかった各ＬＴＥセルのネットワークタイプを、前記ＬＴＥセルのアップリンク周波数とダウンリンク周波数が同じであるかどうかに従って決定し、ネットワークタイプが前記第１のＬＴＥセルのネットワークタイプと同じネットワークタイプであるＬＴＥセルだけを継続して測定するステップ
を含む、請求項２に記載の方法。
【請求項５】
前記ユーザ機器によって、ＬＴＥセルをＬＴＥネットワーク情報に従って測定する前記ステップが、
前記ユーザ機器によって、ＬＴＥ  ＦＤＤセル及びＬＴＥ  ＴＤＤセルを前記ＬＴＥネットワーク情報に従って測定するステップを含み、
前記ユーザ機器によって、測定結果が事前設定条件を満たすＬＴＥセルから、ＬＴＥネットワークにアクセスするための第２のＬＴＥセルを選択する前記ステップが、
前記ユーザ機器によって、測定結果が前記事前設定条件を満たす前記ＬＴＥセル内の各ＬＴＥセルのネットワークタイプを決定するステップと、
前記ユーザ機器によって、ネットワークタイプが、測定結果が前記事前設定条件を満たす前記ＬＴＥセル内の前記第１のＬＴＥセルのネットワークタイプと同じネットワークタイプであるＬＴＥセルから、前記ＬＴＥネットワークにアクセスするための前記第２のＬＴＥセルを選択するステップと
を含む、請求項１に記載の方法。
【請求項６】
前記ユーザ機器によって、測定結果が前記事前設定条件を満たす前記ＬＴＥセル内の各ＬＴＥセルのネットワークタイプを決定する前記ステップが、
前記ユーザ機器によって、各ＬＴＥセルの周波数がＬＴＥ  ＦＤＤ周波数帯域又はＬＴＥ  ＴＤＤ周波数帯域に属するかどうかに従い、測定結果が前記事前設定条件を満たす前記ＬＴＥセル内の各ＬＴＥセルの前記ネットワークタイプを決定するステップ、及び／又は
前記ユーザ機器によって、各ＬＴＥセルのフレーム内の一次同期信号ＰＳＳ及び／又は二次同期信号の位置に従い、測定結果が前記事前設定条件を満たす前記ＬＴＥセル内の各ＬＴＥセルの前記ネットワークタイプを決定するステップ、及び／又は
前記ユーザ機器によって、前記保存ＬＴＥネットワーク情報に従い、測定結果が前記事前設定条件を満たす前記ＬＴＥセル内の各ＬＴＥセルの前記ネットワークタイプを決定するステップであって、前記保存ＬＴＥネットワーク情報がＬＴＥセルのネットワークタイプを含む、ステップ、及び／又は
前記ユーザ機器によって、前記２Ｇ又は３Ｇネットワークから配信されるＬＴＥ  ＦＤＤ及び／又はＬＴＥ  ＴＤＤインジケーション情報に従い、測定結果が前記事前設定条件を満たす前記ＬＴＥセル内の各ＬＴＥセルの前記ネットワークタイプを決定するステップ、及び／又は
前記ユーザ機器によって、各ＬＴＥセルのアップリンク周波数とダウンリンク周波数が同じであるかどうかに従い、測定結果が前記事前設定条件を満たす前記ＬＴＥセル内の各ＬＴＥセルの前記ネットワークタイプを決定するステップ
を含む、請求項５に記載の方法。
【請求項７】
ＬＴＥセルから２Ｇ又は３Ｇネットワークにフォールバックして回線交換ＣＳサービスを実行するように構成されたフォールバックモジュールであって、第１のＬＴＥセルのネットワークタイプが第１のタイプであり、前記第１のタイプがＬＴＥ  ＦＤＤ又はＬＴＥ  ＴＤＤである、フォールバックモジュールと、
ユーザ機器が前記ＣＳサービスの実行を前記２Ｇ又は３Ｇネットワーク上で完了したときに、ＬＴＥセルをＬＴＥネットワーク情報に従って測定して、各ＬＴＥセルの測定結果を得るように構成された測定モジュールであって、前記ＬＴＥネットワーク情報が、ＬＴＥ  ＦＤＤタイプのセルについての情報及びＬＴＥ  ＴＤＤタイプのセルについての情報を含む、測定モジュールと、
測定結果が事前設定条件を満たすＬＴＥセルから、ＬＴＥネットワークにアクセスするための第２のＬＴＥセルを選択するように構成された選択モジュールであって、前記第２のＬＴＥセルのネットワークタイプが前記第１のＬＴＥセルのネットワークタイプと同じネットワークタイプである選択モジュールと
を備え、
前記ＬＴＥネットワーク情報が、前記２Ｇ又は３Ｇネットワーク上のアクセスネットワークデバイスから供給されるＬＴＥネットワーク情報、又は前記ユーザ機器に保存されたＬＴＥネットワーク情報、又は前記ユーザ機器によってサポートされるすべてのＬＴＥ周波数である、ユーザ機器。
【請求項８】
前記測定モジュールが、前記ユーザ機器が前記ＣＳサービスの実行を前記２Ｇ又は３Ｇネットワーク上で完了したときに、前記第１のＬＴＥセルのネットワークタイプと同じネットワークタイプのＬＴＥセルだけを前記ＬＴＥネットワーク情報に従って測定して、各ＬＴＥセルの測定結果を得るように特に構成され、前記ＬＴＥネットワーク情報が、ＬＴＥ  ＦＤＤタイプのセルについての情報及びＬＴＥ  ＴＤＤタイプのセルについての情報を含み、
前記選択モジュールが、第１のタイプの、かつ測定結果が事前設定条件を満たす、ＬＴＥセルから、前記ＬＴＥネットワークにアクセスするための第２のＬＴＥセルを選択するように特に構成され、前記第２のＬＴＥセルの前記ネットワークタイプが前記第１のＬＴＥセルのネットワークタイプと同じネットワークタイプである、請求項７に記載のユーザ機器。
【請求項９】
前記測定モジュールが、
前記ユーザ機器が前記ＣＳサービスの実行を前記２Ｇ又は３Ｇネットワーク上で完了したときに、前記ＬＴＥネットワーク情報中の前記第１のＬＴＥセルのネットワークタイプと同じネットワークタイプの周波数帯域に属する周波数を決定し、前記第１のＬＴＥセルのネットワークタイプと同じネットワークタイプの周波数帯域に属する周波数だけを探索するように、かつ／又は、保存ＬＴＥネットワーク情報に従って、前記ＬＴＥネットワーク情報の中にある、かつ前記第１のＬＴＥセルのネットワークタイプと同じネットワークタイプの前記ＬＴＥセルに対応する、周波数及び／又はセル識別情報を決定し、前記第１のＬＴＥセルのネットワークタイプと同じネットワークタイプの前記ＬＴＥセルに対応する周波数及び／又はセル識別情報だけを探索するように、かつ／又は、前記２Ｇ又は３Ｇネットワークから配信されたＬＴＥ  ＦＤＤ又はＬＴＥ  ＴＤＤインジケーション情報に従って、前記第１のＬＴＥセルのネットワークタイプと同じネットワークタイプの前記ＬＴＥセルに対応する周波数及び／又はセル識別情報を決定し、前記第１のＬＴＥセルのネットワークタイプと同じネットワークタイプの前記ＬＴＥセルに対応する周波数及び／又はセル識別情報だけを探索するように、構成された第１の探索ユニットと、
前記第１の探索ユニットによって見つかったＬＴＥセルを継続して測定して、各ＬＴＥセルの測定結果を得るように構成された第１の測定ユニットと
を特に備える、請求項８に記載のユーザ機器。
【請求項１０】
前記測定モジュールが、
ＬＴＥセルを前記ＬＴＥネットワーク情報に従って探索するように構成された第２の探索ユニットと、
見つかった各ＬＴＥセルのネットワークタイプを、前記第２の探索ユニットによって見つけられた前記ＬＴＥセルのフレーム内の一次同期信号及び／又は二次同期信号の位置に従って、かつ／又は、前記第２の探索ユニットによって見つけられた各ＬＴＥセルのアップリンク周波数とダウンリンク周波数が同じであるかどうかに従って決定し、ネットワークタイプが前記第１のＬＴＥセルのネットワークタイプと同じネットワークタイプであるＬＴＥセルだけを継続して測定するように構成された第２の測定ユニットと
を特に備える、請求項８に記載のユーザ機器。
【請求項１１】
前記測定モジュールが、前記ユーザ機器が前記ＣＳサービスの実行を前記２Ｇ又は３Ｇネットワーク上で完了したときに、ＬＴＥ  ＦＤＤセル及びＬＴＥ  ＴＤＤセルを前記ＬＴＥネットワーク情報に従って測定して、各ＬＴＥセルの測定結果を得るように特に構成され、前記ＬＴＥネットワーク情報が、ＬＴＥ  ＦＤＤタイプのセルについての情報及びＬＴＥ  ＴＤＤタイプのセルについての情報を含み、
前記選択モジュールが、
測定結果が前記事前設定条件を満たす前記ＬＴＥセル内の各ＬＴＥセルのネットワークタイプを決定するように構成された決定ユニットと、
ネットワークタイプが、測定結果が前記事前設定条件を満たす前記ＬＴＥセル内の前記第１のＬＴＥセルのネットワークタイプと同じネットワークタイプであるＬＴＥセルから、前記ＬＴＥネットワークにアクセスするための前記第２のＬＴＥセルを選択するように構成された選択ユニットと
を特に備える、請求項７に記載のユーザ機器。
【請求項１２】
前記決定ユニットが、測定結果が前記事前設定条件を満たす前記ＬＴＥセル内の各ＬＴＥセルのネットワークタイプを、各ＬＴＥセルの周波数がＬＴＥ  ＦＤＤ周波数帯域又はＬＴＥ  ＴＤＤ周波数帯域に属するかどうかに従って、かつ／又は各ＬＴＥセルのフレーム内の一次同期信号ＰＳＳ及び／又は二次同期信号の位置に従って、かつ／又は保存ＬＴＥネットワーク情報に従って、かつ／又は前記２Ｇ又は３Ｇネットワークから配信されるＬＴＥ  ＦＤＤ及び／又はＬＴＥ  ＴＤＤインジケーション情報に従って、かつ／又は各ＬＴＥセルのアップリンク周波数とダウンリンク周波数が同じであるかどうかに従って、決定するように特に構成され、前記保存ＬＴＥネットワーク情報がＬＴＥセルのネットワークタイプを含む、請求項１１に記載のユーザ機器。
【発明の詳細な説明】
【技術分野】
【０００１】
本発明は通信分野に関し、詳細にはネットワーク選択方法及びユーザ機器に関する。
【背景技術】
【０００２】
回線交換フォールバック（ＣＳ  Ｆａｌｌｂａｃｋ，略してＣＳＦＢ）は、ロングタームエボリューションモバイル通信アクセス技術（第４世代モバイル通信システムに使用されるアクセス技術）（Ｌｏｎｇ  Ｔｅｒｍ  Ｅｖｏｌｕｔｉｏｎ，略してＬＴＥ）に使用される音声サービス及び他の回線交換（Ｃｉｒｃｕｉｔ  Ｓｗｉｔｃｈｅｄ，略してＣＳ）サービス（ＣＳ映像、位置決めサービス、又は補助サービスなど）を提供することに対する解決策であり、次のことを指す。すなわち、ユーザ機器（Ｕｓｅｒ  Ｅｑｕｉｐｍｅｎｔ，略してＵＥ）がＬＴＥネットワークにキャンプオンし、ユーザ機器が音声コール又は他のＣＳサービスを開始する、又はそれに応答する必要があるときに、第２世代モバイル通信システム（２ｎｄ  Ｇｅｎｅｒａｔｉｏｎ，略して２Ｇ）／第３世代モバイル通信システム（３ｒｄ  Ｇｅｎｅｒａｔｉｏｎ，略して３Ｇ）ＣＳネットワークまで行き、音声サービス又は他のＣＳサービスを実行し、この音声サービス又は他のＣＳサービスの実行を２Ｇ／３Ｇ  ＣＳネットワーク上で完了した後に、ＵＥは、ネットワークから供給されＬＴＥネットワークにリダイレクトするために使用される情報に従ってＬＴＥネットワークに戻るか、又は自律的にＬＴＥネットワークに戻る。
【０００３】
図１はＣＳＦＢサービスの信号方式フローチャートである。ＣＳＦＢサービスの主要なステップは以下を含む。
【０００４】
１．ＵＥは拡張サービス要求（Ｅｘｔｅｎｄｅｄ  Ｓｅｒｖｉｃｅ  Ｒｅｑｕｅｓｔ）をモビリティ管理エンティティ（Ｍｏｂｉｌｉｔｙ  Ｍａｎａｇｅｍｅｎｔ  Ｅｎｔｉｔｙ，略してＭＭＥ）に送信する。この拡張サービス要求は、２Ｇ（又は３Ｇ）ＣＳドメインにフォールバックして音声コールを確立することを要求するために使用されるＣＳＦＢインジケーションを保持する。
【０００５】
２．ＭＭＥは、進化型ノードＢ（Ｅｖｏｌｖｅｄ  Ｎｏｄｅ  Ｂ，又はＥ−ＵＴＲＡＮ  Ｎｏｄｅ  Ｂ，略してｅＮＢ）へ、ＣＳＦＢインジケーションを保持するＵＥコンテキスト修正要求（ＵＥ  Ｃｏｎｔｅｘｔ  Ｍｏｄｉｆｉｃａｔｉｏｎ  Ｒｅｑｕｅｓｔ）、又はＣＳＦＢインジケーションを保持するＵＥ初期コンテキスト要求メッセージ（Ｉｎｉｔｉａｌ  ＵＥ  Ｃｏｎｔｅｘｔ  Ｒｅｑｕｅｓｔ）を送信する。
【０００６】
３．ｅＮＢはＵＥへ、２Ｇ（又は３Ｇ）ＣＳドメインにリダイレクトするためのメッセージ、又は２Ｇ（又は３Ｇ）ＣＳドメインに引き渡すためのメッセージを送信する。
【０００７】
４．ＵＥは、２Ｇ（又は３Ｇ）ネットワークにアクセスしてＣＳサービスを実行する。
【０００８】
５．ＣＳサービスが完了した後、ＭＳＣサーバが接続解放コマンドをベース基地サブシステム（Ｂａｓｅ  Ｓｔａｔｉｏｎ  Ｓｕｂｓｙｓｔｅｍ，略してＢＳＳ）（又は無線ネットワークサブシステム（Ｒａｄｉｏ  Ｎｅｔｗｏｒｋ  Ｓｕｂｓｙｓｔｅｍ，略してＲＮＳ））へ送信する。接続解放コマンドは、ＵＥにＬＴＥネットワークへ戻らせるようにＢＳＳ（又はＲＮＳ）に命令するために使用される、ＣＳＦＢインジケーションを保持することができる。
【０００９】
６．ＢＳＳ（又はＲＮＳ）は、ＵＥへ無線接続解放メッセージＣｈａｎｎｅｌ  Ｒｅｌｅａｓｅ（又はＲＲＣ  Ｃｏｎｎｅｃｔｉｏｎ  Ｒｅｌｅａｓｅ）を送信する。この解放メッセージは、ＬＴＥネットワークにリダイレクトするための情報、たとえば、ＵＥにＬＴＥネットワークへ戻るように命令するために使用されるＬＴＥ周波数（すなわち、周波数、Ｆｒｅｑｕｅｎｃｙ）を保持することができる。
【００１０】
７．ＵＥは、無線接続解放メッセージ中のリダイレクト情報に従ってＬＴＥセルを選択するか、又は自律的にＬＴＥセルを選択し（すなわち、ネットワークから配信されるリダイレクト情報に基づかずに）、ＬＴＥネットワークへ戻る。
【００１１】
しかし、実際の適用処理においては、ＵＥがＣＳ音声サービス又は他のＣＳサービスの実行を２Ｇ／３Ｇ  ＣＳネットワーク上で完了した後に、リダイレクト情報に従って、又は自律的にＬＴＥネットワークへ戻るときに、データサービスが長時間中断される可能性があり、ＵＥがＬＴＥネットワーク上で通常の登録状態を再開するには比較的長時間を要する。
【発明の概要】
【００１２】
本発明の実施形態は、ＬＴＥネットワークにキャンプオンするＵＥが２Ｇ／３Ｇ  ＣＳネットワークにフォールバックしてＣＳサービスを実行し、ＬＴＥネットワークへ戻るときにデータサービスが中断されるという問題を解決して、ＵＥがＬＴＥネットワーク上で通常の登録状態を再開する速度を改善するために使用される、ネットワーク選択方法及びユーザ機器を提供する。
【００１３】
本発明の実施形態の第１の態様は、
ユーザ機器によって、第１のロングタームエボリューションＬＴＥセルから、第２世代モバイル通信システム２Ｇネットワーク又は第３世代モバイル通信システム３Ｇネットワークにフォールバックして、回線交換ＣＳサービスを実行するステップであって、第１のＬＴＥセルのネットワークタイプが第１のタイプであり、第１のタイプがＬＴＥ周波数分割複信ＦＤＤ又はＬＴＥ時分割複信ＴＤＤであるステップと、
ユーザ機器がＣＳサービスの実行を２Ｇ又は３Ｇネットワーク上で完了したときに、ユーザ機器によって、ＬＴＥセルをＬＴＥネットワーク情報に従って測定して、各ＬＴＥセルの測定結果を得るステップであって、ＬＴＥネットワーク情報がＬＴＥ  ＦＤＤタイプのセルについての情報、及びＬＴＥ  ＴＤＤタイプのセルについての情報を含むステップと、
ユーザ機器によって、測定結果が事前設定条件を満たすＬＴＥセルから、ＬＴＥネットワークにアクセスするための第２のＬＴＥセルを選択するステップであって、第２のＬＴＥセルのネットワークタイプが第１のタイプであるステップと
を含む、ネットワーク選択方法を提供する。
【００１４】
本発明の実施形態の第１の態様に関して、本発明の実施形態の第１の態様の第１の実現法では、ＬＴＥネットワーク情報が、２Ｇ又は３Ｇネットワーク上のアクセスネットワークデバイスから供給されるＬＴＥネットワーク情報、又はユーザ機器に保存されたＬＴＥネットワーク情報、又はユーザ機器によってサポートされるすべてのＬＴＥ周波数である。
【００１５】
本発明の実施形態の第１の態様、又は第１の態様の第１の実現法に関して、本発明の実施形態の第１の態様の第２の実現法では、ユーザ機器によって、ＬＴＥセルをＬＴＥネットワーク情報に従って測定するステップは、
ユーザ機器によって、第１のタイプのＬＴＥセルだけをＬＴＥネットワーク情報に従って測定するステップを含み、
ユーザ機器によって、測定結果が事前設定条件を満たすＬＴＥセルから、ＬＴＥネットワークにアクセスするための第２のＬＴＥセルを選択するステップは、
ユーザ機器によって、第１のタイプの、かつ測定結果が事前設定条件を満たす、ＬＴＥセルから、ＬＴＥネットワークにアクセスするための第２のＬＴＥセルを選択するステップを含む。
【００１６】
本発明の実施形態の第１の態様の第２の実現法に関して、本発明の実施形態の第１の態様の第３の実現法では、ユーザ機器によって、第１のタイプのＬＴＥセルだけをＬＴＥネットワーク情報に従って測定するステップは、
ユーザ機器によって、ＬＴＥネットワーク情報中の第１のタイプの周波数帯域に属する周波数を決定し、第１のタイプの周波数帯域に属する周波数だけを探索し、見つかったＬＴＥセルを継続して測定するステップ、及び／又は
ユーザ機器によって、保存ＬＴＥネットワーク情報に従い、ＬＴＥネットワーク情報の中にある、かつ第１のタイプのＬＴＥセルに対応する周波数及び／又はセル識別情報を決定し、第１のタイプのＬＴＥセルに対応する周波数及び／又はセル識別情報だけを探索し、見つかったＬＴＥセルを継続して測定するステップであって、保存ＬＴＥネットワーク情報が、ある周波数及び／又はセル識別情報に対応するＬＴＥセルのネットワークタイプを含むステップ、及び／又は
ユーザ機器によって、２Ｇ又は３Ｇネットワークから配信されたＬＴＥ  ＦＤＤ又はＬＴＥ  ＴＤＤインジケーション情報に従い、第１のタイプのＬＴＥセルに対応する周波数及び／又はセル識別情報を決定し、第１のタイプのＬＴＥセルに対応する周波数及び／又はセル識別情報だけを探索し、見つかったＬＴＥセルを継続して測定するステップ
を含む。
【００１７】
本発明の実施形態の第１の態様の第２の実現法に関して、本発明の実施形態の第１の態様の第４の実現法では、ユーザ機器によって、第１のタイプのＬＴＥセルだけをＬＴＥネットワーク情報に従って測定するステップは、
ユーザ機器によって、ＬＴＥセルをＬＴＥネットワーク情報に従って探索するステップと、
ユーザ機器によって、見つかった各ＬＴＥセルのネットワークタイプをＬＴＥセルのフレーム内の一次同期信号及び／又は二次同期信号の位置に従って決定し、ネットワークタイプが第１のタイプであるＬＴＥセルだけを継続して測定するステップ、及び／又は
ユーザ機器によって、見つかった各ＬＴＥセルのネットワークタイプを、ＬＴＥセルのアップリンク周波数とダウンリンク周波数が同じであるかどうかに従って決定し、ネットワークタイプが第１のタイプであるＬＴＥセルだけを継続して測定するステップ
を含む。
【００１８】
本発明の実施形態の第１の態様、又は第１の態様の第１の実現法に関連して、本発明の実施形態の第１の態様の第５の実現法では、ユーザ機器によって、ＬＴＥセルをＬＴＥネットワーク情報に従って測定するステップは、
ユーザ機器によって、ＬＴＥ  ＦＤＤセル及びＬＴＥ  ＴＤＤセルをＬＴＥネットワーク情報に従って測定するステップを含み、
ユーザ機器によって、測定結果が事前設定条件を満たすＬＴＥセルから、ＬＴＥネットワークにアクセスするための第２のＬＴＥセルを選択するステップは、
ユーザ機器によって、測定結果が事前設定条件を満たすＬＴＥセル内の各ＬＴＥセルのネットワークタイプを決定するステップと、
ユーザ機器によって、ネットワークタイプが、測定結果が事前設定条件を満たすＬＴＥセル内の第１のタイプであるＬＴＥセルから、ＬＴＥネットワークにアクセスするための第２のＬＴＥセルを選択するステップと
を含む。
【００１９】
本発明の実施形態の第１の態様の第５の実現法に関して、本発明の実施形態の第１の態様の第６の実現法では、ユーザ機器によって、測定結果が事前設定条件を満たすＬＴＥセル内の各ＬＴＥセルのネットワークタイプを決定するステップは、
ユーザ機器によって、各ＬＴＥセルの周波数がＬＴＥ  ＦＤＤ周波数帯域又はＬＴＥ  ＴＤＤ周波数帯域に属するかどうかに従い、測定結果が事前設定条件を満たすＬＴＥセル内の各ＬＴＥセルのネットワークタイプを決定するステップ、及び／又は
ユーザ機器によって、各ＬＴＥセルのフレーム内の一次同期信号ＰＳＳ及び／又は二次同期信号の位置に従い、測定結果が事前設定条件を満たすＬＴＥセル内の各ＬＴＥセルのネットワークタイプを決定するステップ、及び／又は
ユーザ機器によって、保存ＬＴＥネットワーク情報に従い、測定結果が事前設定条件を満たすＬＴＥセル内の各ＬＴＥセルのネットワークタイプを決定するステップであって、保存ＬＴＥネットワーク情報がＬＴＥセルのネットワークタイプを含むステップ、及び／又は
ユーザ機器によって、２Ｇ又は３Ｇネットワークから配信されるＬＴＥ  ＦＤＤ及び／又はＬＴＥ  ＴＤＤインジケーション情報に従い、測定結果が事前設定条件を満たすＬＴＥセル内の各ＬＴＥセルのネットワークタイプを決定するステップ、及び／又は
ユーザ機器によって、各ＬＴＥセルのアップリンク周波数とダウンリンク周波数が同じであるかどうかに従い、測定結果が事前設定条件を満たすＬＴＥセル内の各ＬＴＥセルのネットワークタイプを決定するステップ
を含む。
【００２０】
本発明の実施形態の第２の態様は、
ＬＴＥセルから２Ｇ又は３Ｇネットワークにフォールバックして回線交換ＣＳサービスを実行するように構成されたフォールバックモジュールであって、第１のＬＴＥセルのネットワークタイプが第１のタイプであり、第１のタイプがＬＴＥ  ＦＤＤ又はＬＴＥ  ＴＤＤである、フォールバックモジュールと、
ユーザ機器がＣＳサービスの実行を２Ｇ又は３Ｇネットワーク上で完了したときに、ＬＴＥセルをＬＴＥネットワーク情報に従って測定して、各ＬＴＥセルの測定結果を得るように構成された測定モジュールであって、ＬＴＥネットワーク情報が、ＬＴＥ  ＦＤＤタイプのセルについての情報及びＬＴＥ  ＴＤＤタイプのセルについての情報を含む、測定モジュールと、
測定結果が事前設定条件を満たすＬＴＥセルから、ＬＴＥネットワークにアクセスするための第２のＬＴＥセルを選択するように構成された選択モジュールであって、第２のＬＴＥセルのネットワークタイプが第１のタイプである選択モジュールと
を含む、ユーザ機器を提供する。
【００２１】
本発明の実施形態の第２の態様に関して、本発明の実施形態の第２の態様の第１の実現法では、測定モジュールは、ユーザ機器がＣＳサービスの実行を２Ｇ又は３Ｇネットワーク上で完了したときに、第１のタイプのＬＴＥセルだけをＬＴＥネットワーク情報に従って測定して、各ＬＴＥセルの測定結果を得るように特に構成され、ＬＴＥネットワーク情報が、ＬＴＥ  ＦＤＤタイプのセルについての情報及びＬＴＥ  ＴＤＤタイプのセルについての情報を含み、
選択モジュールは、第１のタイプの、かつ測定結果が事前設定条件を満たす、ＬＴＥセルから、ＬＴＥネットワークにアクセスするための第２のＬＴＥセルを選択するように特に構成され、第２のＬＴＥセルのネットワークタイプが第１のタイプである。
【００２２】
本発明の実施形態の第２の態様の第１の実現法に関して、本発明の実施形態の第２の態様の第２の実現法では、測定モジュールは、
ユーザ機器がＣＳサービスの実行を２Ｇ又は３Ｇネットワーク上で完了したときに、ＬＴＥネットワーク情報中の第１のタイプの周波数帯域に属する周波数を決定し、第１のタイプの周波数帯域に属する周波数だけを探索するように、かつ／又は、保存ＬＴＥネットワーク情報に従って、ＬＴＥネットワーク情報の中にある、かつ第１のタイプのＬＴＥセルに対応する、周波数及び／又はセル識別情報を決定し、第１のタイプのＬＴＥセルに対応する周波数及び／又はセル識別情報だけを探索するように、かつ／又は、２Ｇ又は３Ｇネットワークから配信されたＬＴＥ  ＦＤＤ又はＬＴＥ  ＴＤＤインジケーション情報に従って、第１のタイプのＬＴＥセルに対応する周波数及び／又はセル識別情報を決定し、第１のタイプのＬＴＥセルに対応する周波数及び／又はセル識別情報だけを探索するように、構成された第１の探索ユニットと、
第１の探索ユニットによって見つかったＬＴＥセルを継続して測定して、各ＬＴＥセルの測定結果を得るように構成された第１の測定ユニットと
を特に含む。
【００２３】
本発明の実施形態の第２の態様の第２の実現法に関して、本発明の実施形態の第２の態様の第３の実現法では、測定モジュールは、
ＬＴＥセルをＬＴＥネットワーク情報に従って探索するように構成された第２の探索ユニットと、
見つかった各ＬＴＥセルのネットワークタイプを、第２の探索ユニットによって見つけられたＬＴＥセルのフレーム内の一次同期信号及び／又は二次同期信号の位置に従って、かつ／又は、第２の探索ユニットによって見つけられた各ＬＴＥセルのアップリンク周波数とダウンリンク周波数が同じであるかどうかに従って決定し、ネットワークタイプが第１のタイプであるＬＴＥセルだけを継続して測定するように構成された第２の測定ユニットと
を特に含む。
【００２４】
本発明の実施形態の第２の態様の第２の実現法に関して、本発明の実施形態の第２の態様の第４の実現法では、測定モジュールは、ユーザ機器がＣＳサービスの実行を２Ｇ又は３Ｇネットワーク上で完了したときに、ＬＴＥ  ＦＤＤセル及びＬＴＥ  ＴＤＤセルをＬＴＥネットワーク情報に従って測定して、各ＬＴＥセルの測定結果を得るように特に構成され、ＬＴＥネットワーク情報が、ＬＴＥ  ＦＤＤタイプのセルについての情報及びＬＴＥ  ＴＤＤタイプのセルについての情報を含み、
選択モジュールは、
測定結果が事前設定条件を満たすＬＴＥセル内の各ＬＴＥセルのネットワークタイプを決定するように構成された決定ユニットと、
ネットワークタイプが、測定結果が事前設定条件を満たすＬＴＥセル内の第１のタイプであるＬＴＥセルから、ＬＴＥネットワークにアクセスするための第２のＬＴＥセルを選択するように構成された選択ユニットと
を特に含む。
【００２５】
本発明の実施形態の第２の態様の第４の実現法に関して、本発明の実施形態の第２の態様の第５の実現法では、決定ユニットは、測定結果が事前設定条件を満たすＬＴＥセル内の各ＬＴＥセルのネットワークタイプを、各ＬＴＥセルの周波数がＬＴＥ  ＦＤＤ周波数帯域又はＬＴＥ  ＴＤＤ周波数帯域に属するかどうかに従って、かつ／又は各ＬＴＥセルのフレーム内の一次同期信号ＰＳＳ及び／又は二次同期信号の位置に従って、かつ／又は保存ＬＴＥネットワーク情報に従って、かつ／又は２Ｇ又は３Ｇネットワークから配信されるＬＴＥ  ＦＤＤ及び／又はＬＴＥ  ＴＤＤインジケーション情報に従って、かつ／又は各ＬＴＥセルのアップリンク周波数とダウンリンク周波数が同じであるかどうかに従って、決定するように特に構成され、保存ＬＴＥネットワーク情報がＬＴＥセルのネットワークタイプを含む。
【００２６】
本発明の実施形態の第３の態様は、
入力装置、出力装置、プロセッサ、及びメモリを含むユーザ機器を提供し、
プロセッサは、メモリに保存された動作命令を呼び出すことによって以下のステップ、すなわち
ＬＴＥセルから２Ｇ又は３Ｇネットワークにフォールバックして回線交換ＣＳサービスを実行するステップであって、第１のＬＴＥセルのネットワークタイプが第１のタイプであり、第１のタイプがＬＴＥ  ＦＤＤ又はＬＴＥ  ＴＤＤであるステップと、
ユーザ機器がＣＳサービスの実行を２Ｇ又は３Ｇネットワーク上で完了したときに、ＬＴＥセルをＬＴＥネットワーク情報に従って測定して、各ＬＴＥセルの測定結果を得るステップであって、ＬＴＥネットワーク情報がＬＴＥ  ＦＤＤタイプのセルについての情報、及びＬＴＥ  ＴＤＤタイプのセルについての情報を含むステップと、
測定結果が事前設定条件を満たすＬＴＥセルから、ＬＴＥネットワークにアクセスするための第２のＬＴＥセルを選択するステップであって、第２のＬＴＥセルのネットワークタイプが第１のタイプであるステップと
を実行するように構成される。
【００２７】
本発明の実施形態の第３の態様に関して、本発明の実施形態の第３の態様の第１の実現法では、プロセッサは、以下のステップ、すなわち
ユーザ機器がＣＳサービスの実行を２Ｇ又は３Ｇネットワーク上で完了したときに、第１のタイプのＬＴＥセルだけをＬＴＥネットワーク情報に従って測定して、各ＬＴＥセルの測定結果を得るステップであって、ＬＴＥネットワーク情報が、ＬＴＥ  ＦＤＤタイプのセルについての情報及びＬＴＥ  ＴＤＤタイプのセルについての情報を含むステップと、
第１のタイプの、かつ測定結果が事前設定条件を満たす、ＬＴＥセルから、ＬＴＥネットワークにアクセスするための第２のＬＴＥセルを選択するステップであって、第２のＬＴＥセルのネットワークタイプが第１のタイプであるステップと
を実行するように特に構成される。
【００２８】
本発明の実施形態の第３の態様の第１の実現法に関して、本発明の実施形態の第３の態様の第２の実現法では、プロセッサは、以下のステップ、すなわち
ユーザ機器がＣＳサービスの実行を２Ｇ又は３Ｇネットワーク上で完了したときに、ＬＴＥネットワーク情報中の第１のタイプの周波数帯域に属する周波数を決定するステップと、第１のタイプの周波数帯域に属する周波数だけを探索するステップ、
及び／又は、保存ＬＴＥネットワーク情報に従って、ＬＴＥネットワーク情報の中にある、かつ第１のタイプのＬＴＥセルに対応する周波数及び／又はセル識別情報を決定するステップと、第１のタイプのＬＴＥセルに対応する周波数及び／又はセル識別情報だけを探索するステップ、
及び／又は、２Ｇ又は３Ｇネットワークから配信されたＬＴＥ  ＦＤＤ又はＬＴＥ  ＴＤＤインジケーション情報に従って、第１のタイプのＬＴＥセルに対応する周波数及び／又はセル識別情報を決定するステップと、第１のタイプのＬＴＥセルに対応する周波数及び／又はセル識別情報だけを探索するステップ、
並びに、見つかったＬＴＥセルを継続して測定して、各ＬＴＥセルの測定結果を得るステップ
を実行するように特に構成される。
【００２９】
本発明の実施形態の第３の態様の第１の実現法に関して、本発明の実施形態の第３の態様の第３の実現法では、プロセッサは、以下のステップ、すなわち
ＬＴＥセルをＬＴＥネットワーク情報に従って探索するステップと、
見つかった各ＬＴＥセルのネットワークタイプを、見つかった各ＬＴＥセルのフレーム内の一次同期信号及び／又は二次同期信号の位置に従って、かつ／又は見つかった各ＬＴＥセルのアップリンク周波数とダウンリンク周波数が同じであるかどうかに従って、決定するステップと、
ネットワークタイプが第１のタイプであるＬＴＥセルだけを継続して測定するステップと
を実行するように特に構成される。
【００３０】
本発明の実施形態の第３の態様に関して、本発明の実施形態の第３の態様の第４の実現法では、プロセッサは、以下のステップ、すなわち
ユーザ機器がＣＳサービスの実行を２Ｇ又は３Ｇネットワーク上で完了したときに、ＬＴＥ  ＦＤＤセル及びＬＴＥ  ＴＤＤセルをＬＴＥネットワーク情報に従って測定して、各ＬＴＥセルの測定結果を得るステップであって、ＬＴＥネットワーク情報が、ＬＴＥ  ＦＤＤタイプのセルについての情報及びＬＴＥ  ＴＤＤタイプのセルについての情報を含むステップと、
測定結果が事前設定条件を満たすＬＴＥセル内の各ＬＴＥセルのネットワークタイプを決定するステップと、
ネットワークタイプが、測定結果が事前設定条件を満たすＬＴＥセル内の第１のタイプであるＬＴＥセルから、ＬＴＥネットワークにアクセスするための第２のＬＴＥセルを選択するステップと
を実行するように特に構成される。
【００３１】
本発明の実施形態の第３の態様の第４の実現法に関して、本発明の実施形態の第３の態様の第５の実現法では、プロセッサは、以下のステップ、すなわち
測定結果が事前設定条件を満たすＬＴＥセル内の各ＬＴＥセルのネットワークタイプを、各ＬＴＥセルの周波数がＬＴＥ  ＦＤＤ周波数帯域又はＬＴＥ  ＴＤＤ周波数帯域に属するかどうかに従って、かつ／又は各ＬＴＥセルのフレーム内の一次同期信号ＰＳＳ及び／又は二次同期信号の位置に従って、かつ／又は保存ＬＴＥネットワーク情報に従って、かつ／又は２Ｇ又は３Ｇネットワークから配信されるＬＴＥ  ＦＤＤ及び／又はＬＴＥ  ＴＤＤインジケーション情報に従って、かつ／又は各ＬＴＥセルのアップリンク周波数とダウンリンク周波数が同じであるかどうかに従って、決定するステップであって、保存ＬＴＥネットワーク情報がＬＴＥセルのネットワークタイプを含む、ステップを実行するように特に構成される。
【００３２】
上記の技法的解決策から、本発明の実施形態は以下の利点を有することが分かる。すなわち、本発明の実施形態では、ＬＴＥ  ＴＤＤネットワークとＬＴＥ  ＦＤＤネットワークの端にあり、又は重なり合うカバレージ領域内にあり、また２Ｇ／３ＧネットワークにフォールバックしてＣＳサービスを実行するＵＥについては、ＵＥがＣＳサービスの実行を完了した後にＵＥがＬＴＥネットワークを測定する拠りどころとなるＬＴＥネットワーク情報は、ＬＴＥ  ＦＤＤタイプのセルについての情報とＬＴＥ  ＴＤＤタイプのセルについての情報の両方を含む。ＬＴＥセルをＬＴＥネットワーク情報に従って測定して各ＬＴＥの測定結果を得た後、ＵＥは、測定結果が事前設定条件を満たすＬＴＥセルから、ネットワークタイプが第１のタイプ（２Ｇ／３ＧネットワークにフォールバックしてＣＳサービスを実行する前にＵＥが置かれているＬＴＥセルのネットワークタイプと同じ）である第２のＬＴＥセルを選択する。これは、戻り先ＬＴＥネットワークのネットワークタイプがフォールバック前のネットワークタイプと異なることにより生じる、データベアラを回復できないという問題を防止する。このようにして、データベアラはすぐに回復することができ、ＵＥは、Ａｔｔａｃｈ処理を何回も初期化することなくＬＴＥネットワーク上で正常登録状態を再開し、それによって、ＵＥがＬＴＥネットワーク上で通常の登録状態を再開するために必要な時間を減らすことができる。
【図面の簡単な説明】
【００３３】
【図１】本発明の実施形態による回線交換フォールバックサービスの概略的な信号方式フローチャートである。
【図２】本発明の実施形態によるネットワーク選択方法の概略的なフローチャートである。
【図３】本発明の実施形態によるネットワーク選択方法の別の概略的なフローチャートである。
【図４】本発明の実施形態によるネットワーク選択方法の別の概略的なフローチャートである。
【図５】本発明の実施形態によるユーザ機器の概略的な構成図である。
【図６】本発明の実施形態によるユーザ機器の別の概略的な構成図である。
【図７】本発明の実施形態によるユーザ機器の別の概略的な構成図である。
【図８】本発明の実施形態によるユーザ機器の別の概略的な構成図である。
【図９】本発明の実施形態によるユーザ機器の別の概略的な構成図である。
【発明を実施するための形態】
【００３４】
以下では、本発明の実施形態に関する添付の図面を参照して、本発明の実施形態における技法的解決策を明確かつ完全に説明する。明らかに、説明される実施形態は本発明の実施形態の全部ではなく、単に一部にすぎない。本発明の実施形態に基づいて、独創的な努力なしに当業者に得られる他のすべての実施形態は、本発明の保護範囲に入るものとする。
【００３５】
本発明を説明するために使用される用語は、特定の実施形態を説明する目的で使用されており、本発明の制限として使用されるものではない。
【００３６】
「ＬＴＥセルを測定する」という語は、ＵＥがＬＴＥセルの参照信号受信電力ＲＳＲＰ（Ｒｅｆｅｒｅｎｃｅ  Ｓｉｇｎａｌ  Ｒｅｃｅｉｖｅｄ  Ｐｏｗｅｒ）及び参照信号受信品質ＲＳＲＱ（Ｒｅｆｅｒｅｎｃｅ  Ｓｉｇｎａｌ  Ｒｅｃｅｉｖｅｄ  Ｑｕａｌｉｔｙ）を測定することを表す。測定の初期段階において、ＵＥは、最初にセルを探索し、すなわちＬＴＥセルを得るための周波数及び／又はセル識別情報を探索し、次に、具体的には以下のことを含む、見つかったＬＴＥセルの参照信号を測定すると理解されてよい。すなわち、ＵＥは、セルで使用され得る周波数をスキャンし、次に、スキャンによって得られた周波数の一次同期信号（Ｐｒｉｍａｒｙ  Ｓｙｎｃｈｒｏｎｉｚａｔｉｏｎ  Ｓｉｇｎａｌ，略してＰＳＳ）及び（Ｓｅｃｏｎｄａｒｙ  Ｓｙｎｃｈｒｏｎｉｚａｔｉｏｎ  Ｓｉｇｎａｌ，略してＳＳＳ）を受信して、タイムスロット及びフレーム同期並びに物理的セルＩＤ（Ｐｈｙｓｉｃａｌ  Ｃｅｌｌ  ＩＤ，略してＰＣＩ）を取得する。セルの参照信号の位置は、ＰＣＩが取得された後に知ることができ、精密なタイムスロット及び周波数同期は、参照信号を復調することによって取得することができる。このようにして、セル同報通信情報を受信することができ、セル探索処理が完了し、セルの参照信号を測定することができる。
【００３７】
「ＬＴＥ  ＦＤＤタイプのセルについての情報」という語は、ネットワークタイプがＬＴＥ  ＦＤＤであるＬＴＥセルについての関連情報を表すために使用され、この情報は、ＬＴＥ  ＦＤＤ周波数及び／又はＬＴＤ  ＦＤＤセル識別情報を含むことができ、本明細書において限定されない他の情報をさらに含むこともできる。ＬＴＥ  ＦＤＤ周波数は、ネットワークタイプがＬＴＥ  ＦＤＤであるＬＴＥセルに対応する周波数を表し、ＬＴＥ  ＦＤＤセルは、ネットワークタイプがＬＴＥ  ＦＤＤであるセルを表す。
【００３８】
「ＬＴＥ  ＴＤＤタイプのセルについての情報」という語は、ネットワークタイプがＬＴＥ  ＴＤＤであるＬＴＥセルについての関連情報を表すために使用され、この情報は、ＬＴＥ  ＴＤＤ周波数及び／又はＬＴＤ  ＴＤＤセル識別情報を含むことができ、本明細書では限定されない他の情報をさらに含むこともできる。ＬＴＥ  ＴＤＤ周波数は、ネットワークタイプがＬＴＥ  ＴＤＤであるＬＴＥセルに対応する周波数を表し、ＬＴＥ  ＴＤＤセルは、ネットワークタイプがＬＴＥ  ＴＤＤであるセルを表す。
【００３９】
従来技術には２つのタイプのＬＴＥネットワーク、すなわち、ＬＴＥ時分割複信（Ｔｉｍｅ−Ｄｉｖｉｓｉｏｎ  Ｄｕｐｌｅｘ，ＴＤＤ）及びＬＴＥ周波数分割複信（Ｆｒｅｑｕｅｎｃｙ−Ｄｉｖｉｓｉｏｎ  Ｄｕｐｌｅｘ，ＦＤＤ）がある。ＬＴＥ  ＴＤＤネットワークとＬＴＥ  ＦＤＤネットワークの端で、又は重なり合うカバレージ領域内において、２Ｇ／３Ｇ  ＣＳネットワークから配信される無線接続解放メッセージ中のリダイレクト情報は、ＬＴＥ  ＴＤＤネットワークとＬＴＥ  ＦＤＤネットワークの両方についての情報を含むことができる。ＵＥはまた、ＬＴＥ  ＴＤＤネットワークとＬＴＥ  ＦＤＤネットワークの両方のセルを自律的に見つけることもできる。しかし、ＣＳ音声サービス又は他のＣＳサービスの実行を２Ｇ／３Ｇネットワーク上で完了した後に、ＵＥがリダイレクト情報に従って、又は自律的に、ＬＴＥネットワークに戻るとき、ＵＥは、フォールバック前のＬＴＥセルとは異なるタイプのＬＴＥセルに戻る。その結果、データサービスは長時間回復することができず、又は中断される可能性さえあり、ＬＴＥネットワークが通常の登録状態を再開するには比較的長い時間を必要とする。
【００４０】
以下では、本発明の実施形態におけるネットワーク選択方法について説明する。図２を参照すると、本発明の実施形態におけるネットワーク選択方法の一実施形態は以下のステップを含む。
【００４１】
２０１．ユーザ機器は、第１のＬＴＥセルから２Ｇ又は３ＧネットワークにフォールバックしてＣＳサービスを実行する。この第１のＬＴＥセルのネットワークタイプは第１のタイプである。
【００４２】
ＵＥが、ｅＮＢから送信された２Ｇ（又は３Ｇ）ＣＳドメインにリダイレクトする、又は引き渡すためのメッセージを受信した後、ＵＥは、第１のＬＴＥセルから２Ｇ又は３ＧネットワークにフォールバックしてＣＳサービスを実行する。この第１のＬＴＥセルのネットワークタイプは第１のタイプであり、この第１のタイプはＬＴＥ  ＦＤＤ又はＬＴＥ  ＴＤＤである。
【００４３】
２０２．ユーザ機器がＣＳサービスの実行を２Ｇ又は３Ｇネットワーク上で完了すると、ユーザ機器は、ＬＴＥセルをＬＴＥネットワーク情報に従って測定して各ＬＴＥセルの測定結果を得る。ここで、このＬＴＥネットワーク情報は、ＬＴＥ  ＦＤＤタイプのセルについての情報、及びＬＴＥ  ＴＤＤタイプのセルについての情報を含む。
【００４４】
ＵＥがＣＳサービスの実行を２Ｇ又は３Ｇネットワーク上で完了すると、ＵＥは、ＬＴＥセルをＬＴＥネットワーク情報に従って測定して各ＬＴＥセルの測定結果を得る。ＬＴＥ  ＴＤＤネットワークとＬＴＥ  ＦＤＤネットワークの端で、又は重なり合うカバレージ領域内において、ＬＴＥネットワーク情報は、ＬＴＥ  ＦＤＤタイプのセルについての情報と、ＬＴＥ  ＴＤＤタイプのセルについての情報の両方を含む。
【００４５】
２０３．ユーザ機器は、測定結果が事前設定条件を満たすＬＴＥセルから、ＬＴＥネットワークにアクセスするための第２のＬＴＥセルを選択する。この第２のＬＴＥセルのネットワークタイプは第１のタイプである。
【００４６】
ＬＴＥセルをＬＴＥネットワーク情報に従って測定して各ＬＴＥセルの測定結果を得た後、ユーザ機器は、測定結果が事前設定条件を満たすＬＴＥセルから、ＬＴＥネットワークにアクセスするための第２のＬＴＥセルを選択する。この第２のＬＴＥセルのネットワークタイプは第１のタイプであり、すなわち、ネットワークタイプは、ＣＳサービスを実行するための２Ｇ／３Ｇネットワークへのフォールバックの前にユーザ機器が置かれているＬＴＥセルのネットワークタイプと同じである。
【００４７】
事前設定条件は、プロトコル仕様によって、又は実際の適用シナリオによってカスタマイズできると理解されてよい。たとえば、事前設定条件は以下のようにすることができる。すなわち、ＬＴＥセルのＲＳＲＰの測定値及び／又はＲＳＲＱの測定値が、ある特定の条件を満たす。たとえば、ＲＳＲＰ及び／又はＲＳＲＱは、ある特定の閾値以上であり、たとえば、以下のように設定することができる。すなわち、セルは、ＲＳＲＰが−１２５ｄＢｍ以上であるときに事前設定条件を満たしていると見なされる。事前設定条件は、さらに以下のようにすることもできる。すなわち、公衆ランドモビリティネットワーク識別情報（Ｐｕｂｌｉｃ  Ｌａｎｄ  Ｍｏｂｉｌｉｔｙ  Ｎｅｔｗｏｒｋ  Ｉｄｅｎｔｉｔｙ，ＰＬＭＮ  ＩＤ）は、ＬＴＥセルによって同報通信された情報から構文解析することができ、このＰＬＭＮ  ＩＤは、ＵＥの非アクセス層（Ｎｏｎ−Ａｃｃｅｓｓ  Ｓｔｒａｔｕｍ，ＮＡＳ）によって選択される、本明細書では限定されない、ＰＬＭＮ  ＩＤと同じ等価ＰＬＭＮ  ＩＤリストと同じであるか、又はそれに属する。
【００４８】
本発明のこの実施形態では、ＬＴＥ  ＴＤＤネットワークとＬＴＥ  ＦＤＤネットワークの端にあり、又は重なり合うカバレージ領域内にあり、また２Ｇ／３ＧネットワークにフォールバックしてＣＳサービスを実行するＵＥについては、ＵＥがＣＳサービスの実行を完了した後にＵＥがＬＴＥネットワークを測定する拠りどころとなるＬＴＥネットワーク情報は、ＬＴＥ  ＦＤＤタイプのセルについての情報とＬＴＥ  ＴＤＤタイプのセルについての情報の両方を含む。ＬＴＥセルをＬＴＥネットワーク情報に従って測定して各ＬＴＥセルの測定結果を得た後、ＵＥは、測定結果が事前設定条件を満たすＬＴＥセルから、ネットワークタイプが第１のタイプ（２Ｇ／３ＧネットワークにフォールバックしてＣＳサービスを実行する前にＵＥが置かれているＬＴＥセルのネットワークタイプと同じ）である第２のＬＴＥセルを選択する。これは、戻り先ＬＴＥネットワークのネットワークタイプがフォールバック前のネットワークタイプと異なることにより生じる、データベアラを回復できないという問題を防止する。このようにして、データベアラはすぐに回復することができ、ＵＥは、Ａｔｔａｃｈ処理を何回も初期化することなくＬＴＥネットワーク上で通常の登録状態を再開し、それによって、ＵＥがＬＴＥネットワーク上で通常の登録状態を再開するために必要な時間を減らすことができる。
【００４９】
上記の実施形態では、ユーザ機器がＬＴＥセルをＬＴＥネットワーク情報に従って測定する処理は測定段階であり、第２のＬＴＥセルが、測定結果が事前設定条件を満たすＬＴＥセルから、ＬＴＥネットワークにアクセスするために選択される処理は選択段階である、と仮定することができる。実際の適用例では、複数の特定の実施方法があり得る。１つの方法は以下の通りである。すなわち、ネットワークタイプが第１のタイプである１つのＬＴＥセルだけが測定段階で測定され、選択段階において、第１のタイプのＬＴＥセルだけが測定されるので、ネットワークタイプが第１のタイプである第２のＬＴＥセルを測定結果によって、測定結果が事前設定条件を満たすＬＴＥセルから、ＬＴＥネットワークにアクセスするために、選択することができる。別の方法は、以下の通りである。すなわち、ＬＴＥネットワーク情報に対応するＬＴＥセルが測定段階で測定され、選択段階において、測定結果が事前設定条件を満たすＬＴＥセルがＬＴＥ  ＴＤＤセルとＬＴＥ  ＦＤＤセルの両方を含むことができるので、各ＬＴＥセルのネットワークタイプが最初に決定される必要があり、この場合、ネットワークタイプが第１のタイプである第２のＬＴＥセルが、測定結果及び各ＬＴＥセルのネットワークタイプによって、測定結果が事前設定条件を満たすＬＴＥセルから、ＬＴＥネットワークにアクセスするために、選択される。以下では、これら２つの方法について別々に詳細に説明する。
【００５０】
Ｉ．ネットワークタイプが第１のタイプであるＬＴＥセルだけが測定段階で測定される。
【００５１】
図３を参照すると、本発明の実施形態におけるネットワーク選択方法の別の実施形態は、以下のステップを含む。
【００５２】
３０１．ユーザ機器は、第１のＬＴＥセルから２Ｇ又は３ＧネットワークにフォールバックしてＣＳサービスを実行する。この第１のＬＴＥセルのネットワークタイプは第１のタイプである。
【００５３】
ＵＥが、２Ｇ（又は３Ｇ）ＣＳドメインにリダイレクトするための、又は引き渡すためのｅＮＢから送信されたメッセージを受信した後、ＵＥは、第１のＬＴＥセルから２Ｇ又は３ＧネットワークにフォールバックしてＣＳサービスを実行する。この第１のＬＴＥセルのネットワークタイプは第１のタイプであり、この第１のタイプはＬＴＥ  ＦＤＤ又はＬＴＥ  ＴＤＤである。
【００５４】
具体的には、２Ｇ（又は３Ｇ）ＣＳドメインにリダイレクトする、又は引き渡すためのｅＮＢから送信されたメッセージは、本発明においては無線接続解放メッセージＲＲＣ  Ｃｏｎｎｅｃｔｉｏｎ  Ｒｅｌｅａｓｅ（無線リソース制御接続解放メッセージ、これは略してＲＲＣ、すなわちＲａｄｉｏ  Ｒｅｓｏｕｒｃｅ  Ｃｏｎｔｒｏｌ、無線リソース制御プロトコルとも呼ばれる）とすることができる。このメッセージはリダイレクト情報を含むことができる。メッセージがリダイレクト情報を含む場合、このリダイレクト情報は、２Ｇ（又は３Ｇ）ＣＳドメインネットワークについての情報を含むことができる。或いは、２Ｇ（又は３Ｇ）ＣＳドメインにリダイレクトするためのメッセージは、セル変更順序メッセージＣＣＯ（Ｃｅｌｌ  Ｃｈａｎｇｅ  Ｏｒｄｅｒ）とすることもできる。このメッセージはリダイレクト情報を含むことができる。メッセージがリダイレクト情報を含む場合、このリダイレクト情報は、２Ｇ  ＣＳドメインネットワークについての情報を含むことができる。メッセージはまた、本明細書では限定されない他のメッセージを含むこともできる。２Ｇ（又は３Ｇ）ＣＳドメインにリダイレクトするための、又は引き渡すためのｅＮＢから送信されたメッセージは、本明細書では「進化型ユニバーサル地上無線アクセス（ネットワーク）コマンドからのモビリティ」（Ｍｏｂｉｌｉｔｙ  ｆｒｏｍ  Ｅ−ＵＴＲＡ  Ｃｏｍｍａｎｄ）とすることができる。このメッセージは、２Ｇ（又は３Ｇ）ＣＳドメインネットワークに渡すための情報を含むことができる。このメッセージは、本明細書では限定されない他のメッセージを含むことができる。
【００５５】
３０２．ユーザ機器がＣＳサービスの実行を２Ｇ又は３Ｇネットワーク上で完了すると、ユーザ機器は、ＬＴＥネットワーク情報に従って第１のタイプのＬＴＥセルだけを測定して、各ＬＴＥセルの測定結果を得る。このＬＴＥネットワーク情報は、ＬＴＥ  ＦＤＤタイプのセルについての情報、及びＬＴＥ  ＴＤＤタイプのセルについての情報を含む。
【００５６】
ＵＥがＣＳサービスの実行を２Ｇ又は３Ｇネットワーク上で完了すると、ＵＥは、ＬＴＥセルをＬＴＥネットワーク情報に従って測定する。ＬＴＥ  ＴＤＤネットワークとＬＴＥ  ＦＤＤネットワークの端で、又は重なり合うカバレージ領域内において、ＬＴＥネットワーク情報は、ＬＴＥ  ＦＤＤセル情報とＬＴＥ  ＴＤＤセル情報の両方を含む。
【００５７】
２Ｇ／３ＧネットワークからＬＴＥネットワークに戻るとき、ユーザ機器は、ＬＴＥセルをＬＴＥネットワーク情報に従って測定する必要があることに留意されたい。ＬＴＥネットワーク情報源は、様々な実際のネットワーク構成に応じて変わり得る。
【００５８】
任意選択で、ＬＴＥネットワーク情報は、２Ｇ又は３Ｇネットワーク上のアクセスネットワークデバイスから供給されるＬＴＥネットワーク情報とすることができる。その場合、ユーザ機器がＬＴＥネットワーク情報に従って第１のタイプのＬＴＥセルだけを測定するのは以下のようになる。すなわち、ユーザ機器によって、第１のタイプのＬＴＥセルだけを、２Ｇ又は３Ｇネットワーク上のアクセスネットワークデバイスから供給されるＬＴＥネットワーク情報に従って測定する。具体的には、２Ｇ又は３Ｇネットワーク上のアクセスネットワークデバイスから供給されるＬＴＥネットワーク情報に従って第１のタイプのＬＴＥセルだけを測定する前に、ユーザ機器は、２Ｇ又は３Ｇネットワーク上のアクセスネットワークデバイスから送信された無線接続解放メッセージを受信することができる。この無線接続解放メッセージはリダイレクト情報を保持し、このリダイレクト情報はＬＴＥネットワーク情報を含む。ＬＴＥネットワーク情報は、ＬＴＥ  ＦＤＤセル情報及びＬＴＥ  ＴＤＤセル情報を含む。このＬＴＥ  ＦＤＤセル情報は、ＬＴＥ  ＦＤＤ周波数及び／又はＬＴＥ  ＦＤＤセル識別情報を含み、ＬＴＥ  ＴＤＤセル情報は、ＬＴＥ  ＴＤＤ周波数及び／又はＬＴＥ  ＴＤＤセル識別情報を含む。
【００５９】
２Ｇネットワーク上では、無線接続解放メッセージはＣｈａｎｎｅｌ  Ｒｅｌｅａｓｅ又はＲＲＣ  Ｃｏｎｎｅｃｔｉｏｎ  Ｒｅｌｅａｓｅメッセージとすることができ、３Ｇネットワーク上では、無線接続解放メッセージはＲＲＣ  Ｃｏｎｎｅｃｔｉｏｎ  Ｒｅｌｅａｓｅメッセージとすることができると理解されてよい。
【００６０】
実際の適用例では、無線接続解放メッセージ中に保持されるリダイレクトメッセージによって供給されることに加えて、ＬＴＥネットワーク情報はまた、アクセスネットワークデバイス又はコアネットワークデバイスからＵＥに配信される、本明細書では限定されない他のメッセージによっても供給され得ると理解されてよい。
【００６１】
任意選択で、ＬＴＥネットワーク情報は、ユーザ機器に保存されたＬＴＥネットワーク情報、又はすべてのサポートＬＴＥ周波数である。たとえば、ユーザ機器は、アクセスネットワークデバイスから供給されるＬＴＥネットワーク情報を受信しない。具体的には、たとえば、アクセスネットワークデバイスから送信された無線接続解放メッセージはリダイレクトメッセージを保持せず、ＵＥは自律的にＬＴＥセルを測定する。或いは、ＵＥは、アクセスネットワークデバイスから供給されるＬＴＥネットワーク情報を受信するが、ＵＥのローカルポリシーによって、ＬＴＥネットワーク情報を使用しないことを決定する。たとえば、アクセスネットワークデバイスから送信された無線接続解放メッセージはリダイレクトメッセージを保持するが、ＵＥは、アクセスネットワークデバイスから送信されたリダイレクトメッセージ中のＬＴＥネットワーク情報を使用せず、ＵＥは自律的にＬＴＥセルを測定する。その場合、ユーザ機器がＬＴＥネットワーク情報に従って第１のタイプのＬＴＥセルだけを測定するのは以下のようになる。すなわち、ユーザ機器によって、第１のタイプのＬＴＥセルだけを、保存ＬＴＥネットワーク情報又はすべてのサポートＬＴＥ周波数によって測定する。保存ＬＴＥネットワーク情報はＬＴＥ  ＦＤＤセル情報及びＬＴＥ  ＴＤＤセル情報を含む。このＬＴＥ  ＦＤＤセル情報は、ＬＴＥ  ＦＤＤ周波数及び／又はＬＴＥ  ＦＤＤセル識別情報を含み、ＬＴＥ  ＴＤＤセル情報は、ＬＴＥ  ＴＤＤ周波数及び／又はＬＴＥ  ＴＤＤセル識別情報を含む。サポート周波数は、ＬＴＥ  ＦＤＤ周波数及びＬＴＥ  ＴＤＤ周波数を含む。
【００６２】
ＬＴＥネットワーク情報に従って第１のタイプのＬＴＥセルだけを測定するユーザ機器には、２つのカテゴリに明確に分けられる複数の実施方法があることに留意されたい。
【００６３】
カテゴリ１．ＬＴＥネットワーク情報中の周波数又はセル識別情報に対応するＬＴＥセルのネットワークタイプは、セル探索が実行される前の測定の初期段階に識別され、第１のタイプのＬＴＥセルの周波数又はセル識別情報だけが測定される。
【００６４】
任意選択で、ユーザ機器は、ＬＴＥネットワーク情報中の第１のタイプの周波数帯域に属する周波数を決定し、この第１のタイプの周波数帯域に属する周波数だけを探索し、見つかったＬＴＥセルを継続して測定する。
【００６５】
任意選択で、ユーザ機器は、保存ＬＴＥネットワーク情報に従って、ＬＴＥネットワーク情報中にある、かつ第１のタイプのＬＴＥセルに対応する周波数及び／又はセル識別情報を決定し、第１のタイプのＬＴＥセルに対応する周波数及び／又はセル識別情報だけを探索し、見つかったＬＴＥセルを継続して測定する。ここで、保存ＬＴＥネットワーク情報は、ある周波数及び／又はセル識別情報に対応するＬＴＥセルのネットワークタイプを含む。
【００６６】
任意選択で、ユーザ機器は、２Ｇ又は３Ｇネットワークから配信されたＬＴＥ  ＦＤＤ又はＬＴＥ  ＴＤＤインジケーション情報に従って、第１のタイプのＬＴＥセルに対応する周波数及び／又はセル識別情報を決定し、第１のタイプのＬＴＥセルに対応する周波数及び／又はセル識別情報だけを探索し、見つかったＬＴＥセルを継続して測定する。
【００６７】
カテゴリ２．ユーザ機器は、最初にＬＴＥセルをＬＴＥネットワーク情報に従って探索し、次に、見つかった各ＬＴＥセルのネットワークタイプをＬＴＥセルについての情報に基づいて決定し、ネットワークタイプが第１のタイプであるＬＴＥセルだけを継続して測定する。
【００６８】
任意選択で、ユーザ機器は、見つかった各ＬＴＥセルのネットワークタイプを、ＬＴＥセルのフレーム内の一次同期信号及び／又は二次同期信号の位置に従って決定し、ネットワークタイプが第１のタイプであるＬＴＥセルだけを継続して測定する。具体的には、ＦＤＤに対しては、ＰＳＳが、サブフレーム０及びサブフレーム５に第１のタイムスロット（ｓｌｏｔ）の最後の記号（ｓｙｍｂｏｌ）中に送信され、ＳＳＳがＰＳＳと同じタイムスロット及び同じサブフレームに送信されるが、ＳＳＳは、ＰＳＳの前の１つのｓｙｍｂｏｌである最後の、しかし１つのｓｙｍｂｏｌ内に位置づけられる。ＴＤＤに対しては、ＰＳＳが、サブフレーム１及びサブフレーム６（これはＤｗＰＴＳ、すなわちＤｏｗｎｌｉｎｋ  Ｐｉｌｏｔ  Ｔｉｍｅ  Ｓｌｏｔ、ダウンリンクパイロットタイムスロットである）の第３の記号中に送信され、ＳＳＳが、サブフレーム０及びサブフレーム５内の、ＰＳＳの前の３つの記号である最後の記号中に送信される。
【００６９】
任意選択で、ユーザ機器は、見つかった各ＬＴＥセルのネットワークタイプを、ＬＴＥセルのアップリンク周波数とダウンリンク周波数が同じであるかどうかに従って決定する。ＬＴＥセルのアップリンク周波数とダウンリンク周波数が同じである場合、ＬＴＥセルはＬＴＥ  ＴＤＤセルであり、或いは、ＬＴＥセルのアップリンク周波数とダウンリンク周波数が異なる場合には、ＬＴＥセルはＬＴＥ  ＦＤＤセルであり、ユーザ機器は、ネットワークタイプが第１のタイプであるＬＴＥセルだけを継続して測定する。
【００７０】
第１のタイプのＬＴＥセルだけを測定する上記の各方法は、個別に使用できる、又は一緒にして使用できると理解されてよい。加えて、第１のタイプのＬＴＥセルだけを測定する他の方法もある。
【００７１】
３０３．ユーザ機器は、測定結果が事前設定条件を満たす第１のタイプのＬＴＥセルから、ＬＴＥネットワークにアクセスするための第２のＬＴＥセルを選択する。この第２のＬＴＥセルのネットワークタイプは第１のタイプである。
【００７２】
ＬＴＥネットワーク情報に従って第１のタイプのＬＴＥだけを測定して各ＬＴＥセルの測定結果を得た後、ユーザ機器は、第１のタイプの、かつ測定結果が事前設定条件を満たす、ＬＴＥセルから、ＬＴＥネットワークにアクセスするための第２のＬＴＥセルを選択する。ここで、第２のＬＴＥセルのネットワークタイプは第１のタイプであり、すなわち、このネットワークタイプは、ユーザ機器がＣＳサービスを実行するために２Ｇ／３Ｇネットワークにフォールバックする前に置かれていた、ＬＴＥセルのネットワークタイプと同じである。
【００７３】
測定結果が事前設定条件を満たす第１のタイプの複数のＬＴＥセルがある可能性があり、これらから第２のＬＴＥセルを選択するには多くの方法があると理解されてよい。たとえば、第１のタイプの、かつ測定結果が事前設定条件を満たす、ＬＴＥセル中で、参照信号強度が最も高く、かつ／又は参照信号品質が最良であるセルが第２のＬＴＥセルとして選択され得る。別の方法もまた使用することができ、或いはセルが、実際の状況又はプロトコル仕様の要件に応じて別の条件を満たすことが必要とされ得る。たとえば、測定結果が事前設定条件を満たすＬＴＥセルが第１のタイプの複数のＬＴＥセルを含み、この第１のタイプのＬＴＥセルが、異なる公衆ランドモビリティネットワーク識別情報（Ｐｕｂｌｉｃ  Ｌａｎｄ  Ｍｏｂｉｌｉｔｙ  Ｎｅｔｗｏｒｋ  Ｉｄｅｎｔｉｔｙ，  ＰＬＭＮ  ＩＤ）を有する場合、ＵＥは、ＰＬＭＮ  ＩＤが、フォールバックの前にＵＥが置かれていたＬＴＥセルのＰＬＭＮ  ＩＤと同じであるＬＴＥセルか、又はフォールバックの前にＵＥが置かれていたＬＴＥセルのＰＬＭＮ  ＩＤと同じ等価ＰＬＭＮ  ＩＤリストに属するＰＬＭＮ  ＩＤに対応するＬＴＥセルを選択し、或いは、フォールバックの前にＵＥが置かれていたＬＴＥセルのＰＬＭＮ  ＩＤよりも優先度が高いＰＬＭＮ  ＩＤに対応するＬＴＥセルを選択する。たとえば、フォールバック前のＬＴＥネットワークのネットワークタイプがＬＴＥ  ＦＤＤであり、フォールバック前のＬＴＥネットワークのＰＬＭＮ  ＩＤがＰＬＭＮ  ＩＤ１である場合、かつＵＥが、第１のタイプの複数のＬＴＥ  ＦＤＤセルを測定によって取得した場合に、ＵＥは、ＰＬＭＮ  ＩＤがＰＬＭＮ  ＩＤ１であるＬＴＥ  ＦＤＤセルを、又はＰＬＭＮ  ＩＤ１と同じ等価ＰＬＭＮリスト内のＰＬＭＮ  ＩＤに対応するＬＴＥ  ＦＤＤを選択し、或いは、優先度がＰＬＭＮ  ＩＤ１よりも高いＰＬＭＮ  ＩＤに対応する、本明細書では限定されないＬＴＥ  ＦＤＤセルを選択する。
【００７４】
本発明のこの実施形態では、測定段階においてユーザ機器は、ネットワークタイプが第１のタイプであるＬＴＥセルだけを測定し、フォールバック前のＬＴＥセルとは異なるネットワークタイプのＬＴＥセルは測定せず、これにより、システムオーバヘッドを節約し、正しいＬＴＥネットワークへのアクセスを加速する。
【００７５】
ＩＩ．すべてのＬＴＥセルが測定段階で測定され、ネットワークタイプが第１のタイプであるＬＴＥセルが選択段階において選択される。
【００７６】
図４を参照すると、本発明の実施形態のネットワーク選択方法の別の実施形態は、以下のステップを含む。
【００７７】
４０１．ユーザ機器は、第１のＬＴＥセルから２Ｇ又は３ＧネットワークにフォールバックしてＣＳサービスを実行する。この第１のＬＴＥセルのネットワークタイプは第１のタイプである。
【００７８】
このステップはステップ３０１と類似しており、詳細についてはここで説明されない。
【００７９】
４０２．ユーザ機器がＣＳサービスの実行を２Ｇ又は３Ｇネットワーク上で完了すると、ユーザ機器は、ＬＴＥネットワーク情報に従ってＬＴＥ  ＦＤＤセル及びＬＴＥ  ＴＤＤセルを測定して、各ＬＴＥセルの測定結果を得る。
【００８０】
ＵＥがＣＳサービスの実行を２Ｇ又は３Ｇネットワーク上で完了すると、ＵＥは、ＬＴＥネットワーク情報に従ってＬＴＥ  ＦＤＤセル及びＬＴＥ  ＴＤＤセルを測定して、各ＬＴＥセルの測定結果を得る。ＬＴＥ  ＴＤＤネットワークとＬＴＥ  ＦＤＤネットワークの端で、又は重なり合うカバレージ領域内において、ＬＴＥネットワーク情報は、ＬＴＥ  ＦＤＤタイプのセルについての情報とＬＴＥ  ＴＤＤタイプのセルについての情報の両方を含む。
【００８１】
２Ｇ／３ＧネットワークからＬＴＥネットワークに戻るとき、ユーザ機器は、ＬＴＥセルをＬＴＥネットワーク情報に従って測定する必要があることに留意されたい。ＬＴＥネットワーク情報源は、様々な実際のネットワーク構成に応じて変わり得る。
【００８２】
任意選択で、ＬＴＥネットワーク情報は、２Ｇ又は３Ｇネットワーク上のアクセスネットワークデバイスから供給されるＬＴＥネットワーク情報とすることができる。その場合、ユーザ機器がＬＴＥネットワーク情報に従ってＬＴＥ  ＦＤＤセル及びＬＴＥ  ＴＤＤセルを測定するのは以下のようになる。すなわち、ユーザ機器によって、ＬＴＥ  ＦＤＤセル及びＬＴＥ  ＴＤＤセルを、２Ｇ又は３Ｇネットワーク上のアクセスネットワークデバイスから供給されるＬＴＥネットワーク情報に従って測定する。具体的には、２Ｇ又は３Ｇネットワーク上のアクセスネットワークデバイスから供給されるＬＴＥネットワーク情報に従ってＬＴＥ  ＦＤＤセル及びＬＴＥ  ＴＤＤセルを測定する前に、ユーザ機器は、２Ｇ又は３Ｇネットワーク上のアクセスネットワークデバイスから送信された無線接続解放メッセージを受信することができる。この無線接続解放メッセージはリダイレクト情報を保持し、このリダイレクト情報はＬＴＥネットワーク情報を含む。ＬＴＥネットワーク情報は、ＬＴＥ  ＦＤＤセル情報及びＬＴＥ  ＴＤＤセル情報を含む。このＬＴＥ  ＦＤＤセル情報は、ＬＴＥ  ＦＤＤ周波数及び／又はＬＴＥ  ＦＤＤセル識別情報を含み、ＬＴＥ  ＴＤＤセル情報は、ＬＴＥ  ＴＤＤ周波数及び／又はＬＴＥ  ＴＤＤセル識別情報を含む。
【００８３】
２Ｇネットワーク上では、無線接続解放メッセージはＣｈａｎｎｅｌ  Ｒｅｌｅａｓｅ又はＲＲＣ  Ｃｏｎｎｅｃｔｉｏｎ  Ｒｅｌｅａｓｅメッセージとすることができ、３Ｇネットワーク上では、無線接続解放メッセージはＲＲＣ  Ｃｏｎｎｅｃｔｉｏｎ  Ｒｅｌｅａｓｅメッセージとすることができると理解されてよい。
【００８４】
実際の適用例では、無線接続解放メッセージ中に保持されるリダイレクトメッセージによって供給されることに加えて、ＬＴＥネットワーク情報はまた、アクセスネットワークデバイス又はコアネットワークデバイスからＵＥに配信される、本明細書では限定されない他のメッセージによっても供給され得ると理解されてよい。
【００８５】
任意選択で、ＬＴＥネットワーク情報は、ユーザ機器に保存されたＬＴＥネットワーク情報、又はすべてのサポートＬＴＥ周波数である。たとえば、ユーザ機器は、アクセスネットワークデバイスから供給されるＬＴＥネットワーク情報を受信しない。具体的には、たとえば、アクセスネットワークデバイスから送信された無線接続解放メッセージはリダイレクトメッセージを保持せず、ＵＥは自律的にＬＴＥセルを測定する。或いは、ＵＥは、アクセスネットワークデバイスから供給されるＬＴＥネットワーク情報を受信するが、ＵＥのローカルポリシーによって、ＬＴＥネットワーク情報を使用しないことを決定する。たとえば、アクセスネットワークデバイスから送信された無線接続解放メッセージはリダイレクトメッセージを保持するが、ＵＥは、アクセスネットワークデバイスから送信されたリダイレクトメッセージ中のＬＴＥネットワーク情報を使用せず、ＵＥは自律的にＬＴＥセルを測定する。その場合、ユーザ機器がＬＴＥネットワーク情報に従ってＬＴＥ  ＦＤＤセル及びＬＴＥ  ＴＤＤセルを測定するのは以下を含む。すなわち、ユーザ機器によって、ＬＴＥ  ＦＤＤセル及びＬＴＥ  ＴＤＤセルを、保存ＬＴＥネットワーク情報又はすべてのサポートＬＴＥ周波数によって測定する。保存ＬＴＥネットワーク情報はＬＴＥ  ＦＤＤセル情報及びＬＴＥ  ＴＤＤセル情報を含む。このＬＴＥ  ＦＤＤセル情報は、ＬＴＥ  ＦＤＤ周波数及び／又はＬＴＥ  ＦＤＤセル識別情報を含み、ＬＴＥ  ＴＤＤセル情報は、ＬＴＥ  ＴＤＤ周波数及び／又はＬＴＥ  ＴＤＤセル識別情報を含む。サポート周波数は、ＬＴＥ  ＦＤＤ周波数及びＬＴＥ  ＴＤＤ周波数を含む。
【００８６】
４０３．ユーザ機器は、測定結果が事前設定条件を満たすＬＴＥセル内の各ＬＴＥセルのネットワークタイプを決定する。
【００８７】
ユーザ機器は、ＬＴＥ  ＦＤＤセル及びＬＴＥ  ＴＤＤセルを測定して、各ＬＴＥセルの測定結果を得、測定結果が事前設定条件を満たすＬＴＥセル内の各ＬＴＥセルのネットワークタイプを決定する。
【００８８】
測定結果が事前設定条件を満たすＬＴＥセル内の各ＬＴＥセルのネットワークタイプを決定するのに複数の方法があると理解されてよい。
【００８９】
任意選択で、ユーザ機器は、各ＬＴＥセルの周波数がＬＴＥ  ＦＤＤ周波数帯域又はＬＴＥ  ＴＤＤ周波数帯域に属するかどうかに従って、測定結果が事前設定条件を満たすＬＴＥセル内の各ＬＴＥセルのネットワークタイプを決定する。
【００９０】
任意選択で、ユーザ機器は、各ＬＴＥセルのフレーム内の一次同期信号ＰＳＳ及び／又は二次同期信号の位置に従って、測定結果が事前設定条件を満たすＬＴＥセル内の各ＬＴＥセルのネットワークタイプを決定する。具体的には、ＦＤＤに対しては、ＰＳＳが、サブフレーム０及びサブフレーム５に第１のスロットの最後の記号中に送信され、ＳＳＳが、ＰＳＳと同じスロット及び同じサブフレームに送信されるが、ＳＳＳは、ＰＳＳの前の１つのｓｙｍｂｏｌである最後の、しかし１つのｓｙｍｂｏｌ内に位置づけられる。ＴＤＤに対しては、ＰＳＳが、サブフレーム１及びサブフレーム６（すなわち、ＤｗＰＴＳ）の第３の記号中に送信され、ＳＳＳが、サブフレーム０及びサブフレーム５内の、ＰＳＳの前の３つの記号である最後の記号中に送信される。
【００９１】
任意選択で、ユーザ機器は、保存ＬＴＥネットワーク情報に従って、測定結果が事前設定条件を満たすＬＴＥセル内の各ＬＴＥセルのネットワークタイプを決定する。この保存ＬＴＥネットワーク情報は、ＬＴＥセルのネットワークタイプを含む。
【００９２】
任意選択で、ユーザ機器は、２Ｇ又は３Ｇネットワークから配信されたＬＴＥ  ＦＤＤ及び／又はＬＴＥ  ＴＤＤインジケーション情報に従って、測定結果が事前設定条件を満たすＬＴＥセル内の各ＬＴＥセルのネットワークタイプを決定する。
【００９３】
任意選択で、ユーザ機器は、各ＬＴＥセルのアップリンク周波数とダウンリンク周波数が同じであるかどうかに従って、測定結果が事前設定条件を満たすＬＴＥセル内の各ＬＴＥセルのネットワークタイプを決定する。ＬＴＥセルのアップリンク周波数とダウンリンク周波数が同じである場合、セルはＬＴＥ  ＴＤＤセルであり、或いは、ＬＴＥセルのアップリンク周波数とダウンリンク周波数が異なる場合には、セルはＬＴＥ  ＦＤＤセルである。
【００９４】
測定によって得られたＬＴＥセル内の各ＬＴＥセルのネットワークタイプを決定するための上記の方法は、単独で使用できる、又は一緒にして使用できると理解されてよい。加えて、測定結果が事前設定条件を満たすＬＴＥセル内の各ＬＴＥセルのネットワークタイプを決定するのに、本明細書では限定されない他の方法があり得る。
【００９５】
４０４．ユーザ機器は、ネットワークタイプが、測定結果が事前設定条件を満たすＬＴＥセル内の第１のタイプであるＬＴＥセルから、ＬＴＥネットワークにアクセスするための第２のＬＴＥセルを選択する。この第２のＬＴＥセルのネットワークタイプは第１のタイプである。
【００９６】
測定結果が事前設定条件を満たすＬＴＥセル内の各ＬＴＥセルのネットワークタイプを決定した後、ユーザ機器は、ネットワークタイプが、測定結果が事前設定条件を満たすＬＴＥセル内の第１のタイプであるＬＴＥセルから、ＬＴＥネットワークにアクセスするための第２のＬＴＥセルを選択する。この第２のＬＴＥセルのネットワークタイプは第１のタイプであり、すなわち、このネットワークタイプは、ユーザ機器がＣＳサービスを実行するために２Ｇ／３Ｇネットワークにフォールバックする前に置かれていた、ＬＴＥセルのネットワークタイプと同じである。
【００９７】
ユーザ機器が、測定結果が事前設定条件を満たすＬＴＥセル内の各ＬＴＥセルのネットワークタイプを決定した後、ネットワークタイプが、測定結果が事前設定条件を満たす得られたＬＴＥセル内の第１のタイプである複数のＬＴＥセルがある可能性があり、これらから第２のＬＴＥセルを選択するための多くの方法があると理解されてよい。たとえば、ネットワークタイプが、測定結果が事前設定条件を満たすＬＴＥセル内の第１のタイプであるＬＴＥセルにおいて、参照信号強度が最も高く、かつ／又は参照信号品質が最良であるセルが第２のＬＴＥセルとして選択され得る。別の方法もまた使用することができ、或いはセルが、実際の状況又はプロトコル仕様の要件に応じて別の条件を満たすことが必要とされ得る。たとえば、ＬＴＥセル内の第１のタイプの複数のＬＴＥセルが測定によってＵＥで取得され、この第１のタイプのＬＴＥセルが、異なる公衆ランドモビリティネットワーク識別情報（Ｐｕｂｌｉｃ  Ｌａｎｄ  Ｍｏｂｉｌｉｔｙ  Ｎｅｔｗｏｒｋ  Ｉｄｅｎｔｉｔｙ，  ＰＬＭＮ  ＩＤ）を有する場合、ＵＥは、ＰＬＭＮ  ＩＤが、フォールバックの前にＵＥが置かれていたＬＴＥセルのＰＬＭＮ  ＩＤと同じであるＬＴＥセルか、又はフォールバックの前にＵＥが置かれていたＬＴＥセルのＰＬＭＮ  ＩＤと同じ等価ＰＬＭＮ  ＩＤリストに属するＰＬＭＮ  ＩＤに対応するＬＴＥセルを選択し、或いは、フォールバックの前にＵＥが置かれていたＬＴＥセルのＰＬＭＮ  ＩＤよりも優先度が高いＰＬＭＮ  ＩＤに対応するＬＴＥセルを選択する。たとえば、フォールバック前のＬＴＥネットワークのネットワークタイプがＬＴＥ  ＦＤＤであり、フォールバック前のＬＴＥネットワークのＰＬＭＮ  ＩＤがＰＬＭＮ  ＩＤ１である場合、かつＵＥが、第１のタイプの複数のＬＴＥ  ＦＤＤセルを測定によって取得した場合に、ＵＥは、ＰＬＭＮ  ＩＤがＰＬＭＮ  ＩＤ１であるＬＴＥ  ＦＤＤセルを、又はＰＬＭＮ  ＩＤ１と同じ等価ＰＬＭＮリスト内のＰＬＭＮ  ＩＤに対応するＬＴＥ  ＦＤＤセルを選択し、或いは、本明細書では限定されない、優先度がＰＬＭＮ  ＩＤ１よりも高いＰＬＭＮ  ＩＤに対応するＬＴＥ  ＦＤＤセルを選択する。
【００９８】
本発明のこの実施形態において、従来技術は、ＵＥの測定段階に対しては変更する必要がなく、選択段階で、ＵＥは、測定段階で得られた測定結果が事前設定条件を満たすＬＴＥセルのネットワークタイプを最初に決定し、次に、ネットワークタイプが、測定結果が事前設定条件を満たすＬＴＥセル内の第１のタイプであるＬＴＥセルから、第２のＬＴＥネットワークを選択する必要があるだけである。これは、ネットワークタイプが、ＵＥがフォールバックの前に置かれていた第１のＬＴＥセルの同じネットワークタイプである、第２のＬＴＥセルをＵＥが選択してＬＴＥネットワークに戻るという効果をもたらし、これにより、ＬＴＥネットワーク上で通常の登録状態を再開するために必要な時間を減らし、それによって、ＵＥが通常の登録状態をＬＴＥネットワーク上で再開する速度が改善する。
【００９９】
上記の実施形態では、ユーザ機器が第１のＬＴＥセルから２Ｇ又は３ＧネットワークにフォールバックしてＣＳサービスを実行する特定の処理は、次の通りとすることができる。すなわち、ユーザ機器は、ＬＴＥセルから２Ｇ又は３Ｇネットワークにフォールバックし、パケット交換データベアラが保留されるか、又は２Ｇ又は３Ｇネットワークに渡され、ＵＥは、ＣＳサービスを２Ｇ又は３Ｇネットワーク上で実行する。それに応じて、ユーザ機器が第２のＬＴＥセルを選択してＬＴＥネットワークにアクセスした後、ユーザ機器は、パケット交換データベアラがうまく回復されているか、それとも作動状態にあるかを検出することができる。パケット交換データベアラが回復されている、又は作動状態にある場合、ユーザ機器は、トラッキング領域更新ＴＡＵ処理を第２のＬＴＥセルにおいて開始し、或いは、パケット交換データベアラが回復されていない、又は作動状態にない場合には、ユーザ機器は、ＬＴＥアタッチ手順を第２のＬＴＥセルにおいて開始する。
【０１００】
ＵＥがＴＡＵ又はＡｔｔａｃｈ処理を第２のＬＴＥセルにおいて実行することに失敗した場合、ＵＥは、ネットワークタイプが第１のタイプと異なるＬＴＥセルを再選択し、ＴＡＵ又はＬＴＥ  Ａｔｔａｃｈ処理を開始して、ＬＴＥ  ＦＤＤネットワークに登録することができる。図３に対応する実施形態では、ＵＥは、ネットワークタイプが第１のタイプと異なるＬＴＥセルを測定しない。この場合、ＵＥは、ネットワークタイプが第１のタイプと異なるＬＴＥセルを最初に測定する必要がある。
【０１０１】
具体的には、ＴＡＵ処理は、結合トラッキング領域及び位置決め領域更新（Ｃｏｍｂｉｎｅｄ  ＴＡ／ＬＡ  Ｕｐｄａｔｉｎｇ）処理、又はＩＭＳＩアタッチ付き結合トラッキング領域及び位置決め領域更新（Ｃｏｍｂｉｎｅｄ  ＴＡ／ＬＡ  Ｕｐｄａｔｉｎｇ  ｗｉｔｈ  ＩＭＳＩ  Ａｔｔａｃｈ）処理とすることができる。ＬＴＥアタッチ処理は、結合進化型パケットシステム及びＩＭＳＩアタッチ（Ｃｏｍｂｉｎｅｄ  ＥＰＳ／ＩＭＳＩ  Ａｔｔａｃｈ）処理とすることができる。ＵＥから送信されたＴＡＵ又はＡｔｔａｃｈ要求メッセージを受信した後、ＭＭＥは、ＭＳＣ  Ｓｅｒｖｅｒに対する位置決め領域更新（Ｌｏｃａｔｉｏｎ  Ａｒｅａ  Ｕｐｄａｔｉｎｇ，ＣＳ  ＬＡＵ）処理又はＩＭＳＩアタッチ（ＩＭＳＩ  Ａｔｔａｃｈ）処理、すなわちＣＳ登録処理を開始する。
【０１０２】
以下では、本発明の実施形態におけるユーザ機器について説明する。
【０１０３】
図５を参照すると、本発明の実施形態におけるユーザ機器の実施形態は、
ＬＴＥセルから２Ｇ又は３Ｇネットワークにフォールバックして回線交換ＣＳサービスを実行するように構成されたフォールバックモジュール５０１であって、第１のＬＴＥセルのネットワークタイプが第１のタイプであり、第１のタイプがＬＴＥ  ＦＤＤ又はＬＴＥ  ＴＤＤである、フォールバックモジュールと、
ユーザ機器がＣＳサービスの実行を２Ｇ又は３Ｇネットワーク上で完了したときに、ＬＴＥセルをＬＴＥネットワーク情報に従って測定して、各ＬＴＥセルの測定結果を得るように構成された測定モジュール５０２であって、ＬＴＥネットワーク情報が、ＬＴＥ  ＦＤＤタイプのセルについての情報及びＬＴＥ  ＴＤＤタイプのセルについての情報を含む、測定モジュールと、
測定結果が事前設定条件を満たすＬＴＥセルから、ＬＴＥネットワークにアクセスするための第２のＬＴＥセルを選択するように構成された選択モジュール５０３であって、第２のＬＴＥセルのネットワークタイプが第１のタイプである選択モジュールと
を含む。
【０１０４】
本発明のこの実施形態では、ＬＴＥ  ＴＤＤネットワークとＬＴＥ  ＦＤＤネットワークの端にあり、又は重なり合うカバレージ領域内にあるＵＥについては、フォールバックモジュール５０１が２Ｇ／３Ｇネットワークにフォールバックし、ＣＳサービスの実行を完了した後、測定モジュール５０２がＬＴＥネットワークを測定する拠りどころとなるＬＴＥネットワーク情報は、ＬＴＥ  ＦＤＤタイプのセルについての情報とＬＴＥ  ＴＤＤタイプのセルについての情報の両方を含む。測定モジュール５０２がＬＴＥセルをＬＴＥネットワーク情報に従って測定して各ＬＴＥセルの測定結果を得た後、選択モジュール５０３が、測定結果が事前設定条件を満たすＬＴＥセルから、ネットワークタイプが第１のタイプ（２Ｇ／３ＧネットワークにフォールバックしてＣＳサービスを実行する前にＵＥが置かれているＬＴＥセルのネットワークタイプと同じ）である第２のＬＴＥセルを選択する。これは、戻り先ＬＴＥネットワークのネットワークタイプがフォールバック前のネットワークタイプと異なることにより生じる、データベアラを回復できないという問題を防止する。このようにして、データベアラはすぐに回復することができ、ＵＥは、Ａｔｔａｃｈ処理を何回も初期化することなくＬＴＥネットワーク上で通常の登録状態を再開し、それによって、ＵＥがＬＴＥネットワーク上で通常の登録状態を再開するために必要な時間を減らすことができる。
【０１０５】
上記の実施形態では、複数のＬＴＥネットワーク情報源があり得る。ＬＴＥネットワーク情報は、２Ｇ又は３Ｇネットワーク上のアクセスネットワークデバイスから供給されるＬＴＥネットワーク情報とすることも、ユーザ機器内に保存されたＬＴＥネットワーク情報とすることもでき、或いは、本明細書では限定されない、ユーザ機器によってサポートされるすべてのＬＴＥ周波数とすることもできる。
【０１０６】
上記の実施形態では、選択モジュール５０３は、ＬＴＥネットワークにアクセスするための第２のＬＴＥセルを選択する。したがって、ＬＴＥセルのネットワークタイプを決定する処理が必要になる。実際の適用例では、この処理は、測定モジュール５０２によって完了することも選択モジュール５０３によって完了することもできる。
【０１０７】
Ｉ．この処理は、測定モジュール５０２によって完了される。
【０１０８】
本発明の実施形態におけるユーザ機器の別の実施形態として、測定モジュール５０２は、ユーザ機器がＣＳサービスの実行を２Ｇ又は３Ｇネットワーク上で完了したときに、第１のタイプのＬＴＥセルだけをＬＴＥネットワーク情報に従って測定して、各ＬＴＥセルの測定結果を得るように特に構成され、ＬＴＥネットワーク情報が、ＬＴＥ  ＦＤＤタイプのセルについての情報及びＬＴＥ  ＴＤＤタイプのセルについての情報を含み、
選択モジュール５０３は、第１のタイプの、かつ測定結果が事前設定条件を満たす、ＬＴＥセルから、ＬＴＥネットワークにアクセスするための第２のＬＴＥセルを選択するように特に構成され、第２のＬＴＥセルのネットワークタイプが第１のタイプである。
【０１０９】
この実施形態では、ＬＴＥセルのネットワークタイプを決定する処理は、測定モジュール５０２によって完了される。
【０１１０】
実際の適用例では、測定モジュール５０２が第１のタイプのＬＴＥセルだけをＬＴＥネットワーク情報に従って測定する実施方法は、２つのカテゴリに分けられる。すなわち、１つのカテゴリでは、ある周波数又はセル識別情報に対応するＬＴＥセルのネットワークタイプは、セル探索が実行される前に決定され、第１のタイプのＬＴＥセルの周波数又はセル識別情報だけが探索され、もう一方のカテゴリでは、ＬＴＥセルが最初に探索され、次に、見つかったＬＴＥセルのネットワークタイプが決定される。以下では、本発明の実施形態におけるユーザ機器について詳細に説明する。
【０１１１】
図６を参照すると、本発明の実施形態におけるユーザ機器の別の実施形態として、図５に示された実施形態中の測定モジュール５０２は、
ユーザ機器がＣＳサービスの実行を２Ｇ又は３Ｇネットワーク上で完了したときに、ＬＴＥネットワーク情報中の第１のタイプの周波数帯域に属する周波数を決定し、第１のタイプの周波数帯域に属する周波数だけを探索するように、かつ／又は、保存ＬＴＥネットワーク情報に従って、ＬＴＥネットワーク情報の中にある、かつ第１のタイプのＬＴＥセルに対応する、周波数及び／又はセル識別情報を決定し、第１のタイプのＬＴＥセルに対応する周波数及び／又はセル識別情報だけを探索するように、かつ／又は、２Ｇ又は３Ｇネットワークから配信されたＬＴＥ  ＦＤＤ又はＬＴＥ  ＴＤＤインジケーション情報に従って、第１のタイプのＬＴＥセルに対応する周波数及び／又はセル識別情報を決定し、第１のタイプのＬＴＥセルに対応する周波数及び／又はセル識別情報だけを探索するように、構成された第１の探索ユニット６０１と、
第１の探索ユニット６０１によって見つかったＬＴＥセルを継続して測定して、各ＬＴＥセルの測定結果を得るように構成された第１の測定ユニット６０２と
を特に含む。
【０１１２】
この実施形態では、第１の探索ユニット６０１は、ある周波数又はセル識別情報に対応するＬＴＥセルのネットワークタイプをセル探索前に決定し、その第１のタイプのＬＴＥセルに対応する周波数及び／又はセル識別情報だけを探索する。
【０１１３】
図７を参照すると、本発明の実施形態におけるユーザ機器の別の実施形態として、図５に示された実施形態中の測定モジュール５０２は、
ＬＴＥセルをＬＴＥネットワーク情報に従って探索するように構成された第２の探索ユニット７０１と、
見つかった各ＬＴＥセルのネットワークタイプを、第２の探索ユニット７０１によって見つけられたＬＴＥセルのフレーム内の一次同期信号及び／又は二次同期信号の位置に従って、かつ／又は、第２の探索ユニット７０１によって見つけられた各ＬＴＥセルのアップリンク周波数とダウンリンク周波数が同じであるかどうかに従って決定し、ネットワークタイプが第１のタイプであるＬＴＥセルだけを継続して測定するように構成された第２の測定ユニット７０２と
を特に含む。
【０１１４】
この実施形態では、第２の探索ユニット７０１は、ＬＴＥセルをＬＴＥネットワーク情報に従って直接探索し、第２の測定ユニット７０２は、見つかったＬＴＥセルのネットワークタイプを最初に決定し、次に、見つかったＬＴＥセルを測定する。
【０１１５】
Ｉ．この処理は、選択モジュール５０３によって完了される。
【０１１６】
図８を参照すると、本発明の実施形態におけるユーザ機器の別の実施形態として、図５に示された実施形態の測定モジュール５０２は、ユーザ機器がＣＳサービスの実行を２Ｇ又は３Ｇネットワーク上で完了したときに、ＬＴＥ  ＦＤＤセル及びＬＴＥ  ＴＤＤセルをＬＴＥネットワーク情報に従って測定して、各ＬＴＥセルの測定結果を得るように特に構成され、ＬＴＥネットワーク情報が、ＬＴＥ  ＦＤＤタイプのセルについての情報及びＬＴＥ  ＴＤＤタイプのセルについての情報を含み、
選択モジュール５０３は、
測定結果が事前設定条件を満たすＬＴＥセル内の各ＬＴＥセルのネットワークタイプを決定するように構成された決定ユニット８０１と、
ネットワークタイプが、測定結果が事前設定条件を満たすＬＴＥセル内の第１のタイプであるＬＴＥセルから、ＬＴＥネットワークにアクセスするための第２のＬＴＥセルを選択するように構成された選択ユニット８０２と
を特に含む。
【０１１７】
任意選択で、実際の適用例では、決定ユニット８０１は、測定結果が事前設定条件を満たすＬＴＥセル内の各ＬＴＥセルのネットワークタイプを、各ＬＴＥセルの周波数がＬＴＥ  ＦＤＤ周波数帯域又はＬＴＥ  ＴＤＤ周波数帯域に属するかどうかに従って、かつ／又は各ＬＴＥセルのフレーム内の一次同期信号ＰＳＳ及び／又は二次同期信号の位置に従って、かつ／又は保存ＬＴＥネットワーク情報に従って、かつ／又は２Ｇ又は３Ｇネットワークから配信されるＬＴＥ  ＦＤＤ及び／又はＬＴＥ  ＴＤＤインジケーション情報に従って、かつ／又は各ＬＴＥセルのアップリンク周波数とダウンリンク周波数が同じであるかどうかに従って、決定するように特に構成され、保存ＬＴＥネットワーク情報がＬＴＥセルのネットワークタイプを含む。
【０１１８】
この実施形態では、ＬＴＥセルのネットワークタイプを決定する処理は、測定モジュール５０２の決定ユニット８０１によって完了される。
【０１１９】
図９を参照すると、本発明の実施形態におけるユーザ機器９００の別の実施形態は、
入力装置９０１、出力装置９０２、プロセッサ９０３、及びメモリ９０４を含む（ユーザ機器９００は、１つ又は複数のプロセッサ９０３を含むことができる。図９では、１つのプロセッサ９０３が一例として使用されている）。本発明のいくつかの実施形態では、入力装置９０１、出力装置９０２、プロセッサ９０３、及びメモリ９０４は、バスを使用することによって、又は別の方法によって接続することができる。図９では、バスを使用しての接続が一例として用いられている。
【０１２０】
プロセッサ９０３は、メモリ９０４に保存された動作命令を呼び出すことによって以下のステップ、すなわち
ＬＴＥセルから２Ｇ又は３Ｇネットワークにフォールバックして回線交換ＣＳサービスを実行するステップであって、第１のＬＴＥセルのネットワークタイプが第１のタイプであり、第１のタイプがＬＴＥ  ＦＤＤ又はＬＴＥ  ＴＤＤであるステップと、
ユーザ機器がＣＳサービスの実行を２Ｇ又は３Ｇネットワーク上で完了したときに、ＬＴＥセルをＬＴＥネットワーク情報に従って測定して、各ＬＴＥセルの測定結果を得るステップであって、ＬＴＥネットワーク情報がＬＴＥ  ＦＤＤタイプのセルについての情報、及びＬＴＥ  ＴＤＤタイプのセルについての情報を含むステップと、
測定結果が事前設定条件を満たすＬＴＥセルから、ＬＴＥネットワークにアクセスするための第２のＬＴＥセルを選択するステップであって、第２のＬＴＥセルのネットワークタイプが第１のタイプであるステップと
を実行するように構成される。
【０１２１】
本発明のいくつかの実施形態では、プロセッサ９０３は、以下のステップ、すなわち
ユーザ機器がＣＳサービスの実行を２Ｇ又は３Ｇネットワーク上で完了したときに、第１のタイプのＬＴＥセルだけをＬＴＥネットワーク情報に従って測定して、各ＬＴＥセルの測定結果を得るステップであって、ＬＴＥネットワーク情報が、ＬＴＥ  ＦＤＤタイプのセルについての情報及びＬＴＥ  ＴＤＤタイプのセルについての情報を含むステップと、
第１のタイプの、かつ測定結果が事前設定条件を満たす、ＬＴＥセルから、ＬＴＥネットワークにアクセスするための第２のＬＴＥセルを選択するステップであって、第２のＬＴＥセルのネットワークタイプが第１のタイプであるステップと
を実行するように特に構成される。
【０１２２】
本発明のいくつかの実施形態では、プロセッサ９０３は、以下のステップ、すなわち
ユーザ機器がＣＳサービスの実行を２Ｇ又は３Ｇネットワーク上で完了したときに、ＬＴＥネットワーク情報中の第１のタイプの周波数帯域に属する周波数を決定するステップと、第１のタイプの周波数帯域に属する周波数だけを探索するステップ、
及び／又は、保存ＬＴＥネットワーク情報に従って、ＬＴＥネットワーク情報の中にある、かつ第１のタイプのＬＴＥセルに対応する周波数及び／又はセル識別情報を決定するステップと、第１のタイプのＬＴＥセルに対応する周波数及び／又はセル識別情報だけを探索するステップ、
及び／又は、２Ｇ又は３Ｇネットワークから配信されたＬＴＥ  ＦＤＤ又はＬＴＥ  ＴＤＤインジケーション情報に従って、第１のタイプのＬＴＥセルに対応する周波数及び／又はセル識別情報を決定するステップと、第１のタイプのＬＴＥセルに対応する周波数及び／又はセル識別情報だけを探索するステップ、
並びに、見つかったＬＴＥセルを継続して測定して、各ＬＴＥセルの測定結果を得るステップ
を実行するように特に構成される。
【０１２３】
本発明のいくつかの実施形態では、プロセッサ９０３は、以下のステップ、すなわち
ＬＴＥセルをＬＴＥネットワーク情報に従って探索するステップと、
見つかった各ＬＴＥセルのネットワークタイプを、見つかった各ＬＴＥセルのフレーム内の一次同期信号及び／又は二次同期信号の位置に従って、かつ／又は見つかった各ＬＴＥセルのアップリンク周波数とダウンリンク周波数が同じであるかどうかに従って、決定するステップと、
ネットワークタイプが第１のタイプであるＬＴＥセルだけを継続して測定するステップと
を実行するように特に構成される。
【０１２４】
本発明のいくつかの実施形態では、プロセッサ９０３は、以下のステップ、すなわち
ユーザ機器がＣＳサービスの実行を２Ｇ又は３Ｇネットワーク上で完了したときに、ＬＴＥ  ＦＤＤセル及びＬＴＥ  ＴＤＤセルをＬＴＥネットワーク情報に従って測定して、各ＬＴＥセルの測定結果を得るステップであって、ＬＴＥネットワーク情報が、ＬＴＥ  ＦＤＤタイプのセルについての情報及びＬＴＥ  ＴＤＤタイプのセルについての情報を含むステップと、
測定結果が事前設定条件を満たすＬＴＥセル内の各ＬＴＥセルのネットワークタイプを決定するステップと、
ネットワークタイプが、測定結果が事前設定条件を満たすＬＴＥセル内の第１のタイプであるＬＴＥセルから、ＬＴＥネットワークにアクセスするための第２のＬＴＥセルを選択するステップと
を実行するように特に構成される。
【０１２５】
本発明のいくつかの実施形態では、プロセッサ９０３は、以下のステップ、すなわち
測定結果が事前設定条件を満たすＬＴＥセル内の各ＬＴＥセルのネットワークタイプを、各ＬＴＥセルの周波数がＬＴＥ  ＦＤＤ周波数帯域又はＬＴＥ  ＴＤＤ周波数帯域に属するかどうかに従って、かつ／又は各ＬＴＥセルのフレーム内の一次同期信号ＰＳＳ及び／又は二次同期信号の位置に従って、かつ／又は保存ＬＴＥネットワーク情報に従って、かつ／又は２Ｇ又は３Ｇネットワークから配信されるＬＴＥ  ＦＤＤ及び／又はＬＴＥ  ＴＤＤインジケーション情報に従って、かつ／又は各ＬＴＥセルのアップリンク周波数とダウンリンク周波数が同じであるかどうかに従って、決定するステップであって、保存ＬＴＥネットワーク情報がＬＴＥセルのネットワークタイプを含む、ステップを実行するように特に構成される。
【０１２６】
当業者には、便利で簡潔な説明という目的のために、上記のシステム、装置、及びユニットの詳細な動作過程については、上記の方法実施形態の対応する処理を参照することができ、詳細については本明細書で説明されていないことが明確に理解されよう。
【０１２７】
本出願に提示されたいくつかの実施形態において、開示されたシステム、装置及び方法は他のやり方でも実施できることを理解されたい。たとえば、上記の装置実施形態は例示的なものにすぎない。たとえば、ユニット区分は単なる論理機能区分であり、実際の実施では他の区分とすることもできる。たとえば、複数のユニット又は構成要素を他のシステムと組み合わせること、又は一体化することができ、或はいくつかの機能を省略すること、又は実施しないことも可能である。加えて、示された、又は論じられた相互連結又は直接連結又は通信接続は、いくつかのインターフェースを使用して実施することができる。装置又はユニット間の間接的な連結又は通信接続は、電気的形式、機械的形式又は他の形式で実施することができる。
【０１２８】
別々の部分として記述されたユニットは、物理的に分離していてもいなくてもよく、ユニットとして示された部分は、物理的なユニットであってもなくてもよく、１つの場所に置かれていてもよく、或いは複数のネットワークユニット上に分散されていてもよい。ユニットの一部又は全部は、実施形態の解決策の目的を達成するために、実際の必要に応じて選択することができる。
【０１２９】
加えて、本発明の実施形態における機能ユニットは、１つの処理ユニットに一体化することも、ユニットのそれぞれが単独で物理的に存在することもでき、或いは２つ以上のユニットが１つのユニットに一体化される。一体化ユニットは、ハードウェアの形で実施することも、ソフトウェア機能ユニットの形で実施することもできる。
【０１３０】
一体化ユニットがソフトウェア機能ユニットの形で実施され、単独製品として販売又は使用される場合、一体化ユニットは、コンピュータ可読記憶媒体内に収納することができる。このような理解に基づいて、本発明の技法的解決策は本質的に、或いは従来技術に寄与する部分、又は技法的解決策の全部又は一部は、ソフトウェア製品の形で実施することができる。ソフトウェア製品は、記憶媒体内に収納され、コンピュータデバイス（パーソナルコンピュータ、サーバ、又はネットワークデバイスであり得る）に指示して本発明の実施形態に関して説明された方法のステップの全部又は一部を実行するためのいくつかの命令を含む。上記の記憶媒体は、ＵＳＢフラッシュドライブ、取外し可能ハードディスク、読み出し専用メモリ（ＲＯＭ，Ｒｅａｄ−Ｏｎｌｙ  Ｍｅｍｏｒｙ）、ランダムアクセスメモリ（ＲＡＭ，Ｒａｎｄｏｍ  Ａｃｃｅｓｓ  Ｍｅｍｏｒｙ）、磁気ディスク、又は光ディスクなどの、プログラムコードを保存できる任意の媒体を含む。
【図１】
0006349409.tif 000002
【図２】
0006349409.tif 000003
【図３】
0006349409.tif 000004
【図４】
0006349409.tif 000005
【図５】
0006349409.tif 000006
【図６】
0006349409.tif 000007
【図７】
0006349409.tif 000008
【図８】
0006349409.tif 000009
【図９】
0006349409.tif 000010